(57)【要約】【課題】単位パネル領域に吐出されるべき液晶滴の各々の重さを液晶滴の各々の基準重さとして設定し、また、全体吐出方式又は部分吐出方式により基準重さを持った液晶滴を単位パネル領域に吐出させること。【解決手段】本発明に係る液晶滴の重さの設定方法は、設定された液晶滴の重さが吐出されるように、シリンダー内でピストンが下降すべき距離を確定する。本発明によれば、シリンダー及びピストンを製作する際に発生する誤差と、シリンダーとピストンを設ける際に発生する誤差と、などがあり、シリンダーの内部壁とピストンの下部面とが一定でなくても、単位パネル領域に吐出されるべき液晶滴の各々の重さを液晶滴の各々の基準重さとして設定できる。【選択図】図４
2010211170.tif 000002
【特許請求の範囲】
【請求項１】
シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と、
を含む液晶滴の重さの設定方法。
【請求項２】
シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、確定された距離が１つあれば、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させるか、
確定された距離が２つ以上あれば、前記ピストンを最も下にある確定された距離の開始点まで下降させて液晶を吐出させた後、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させ、
設定された液晶滴の重さが吐出されるように、前記ピストンが下降すべき距離として新たに確定しようとする距離の基準点を直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と、
を含む液晶滴の重さの設定方法。
【請求項３】
シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、
確定された距離がなければ、前記ピストンを前記一定距離だけ下降させ、液晶を前記液晶流出口とノズルとを介して１つの液晶滴として吐出させ、
確定された距離が１つあれば、前記ピストンを前記確定された距離に前記一定距離を足した距離だけ下降させ、液晶を前記液晶流出口とノズルとを介して２つの液晶滴として吐出させ、
確定された距離が複数個あれば、前記ピストンを前記複数個の確定された距離に前記一定距離を足した距離だけ下降させ、液晶を前記液晶流出口とノズルとを介して複数個の液晶滴として吐出させる第２の段階と；
確定された距離がなければ、１つの液晶滴の重さを測定し、確定された距離が１つあれば、２つの液晶滴の重さを測定し、確定された距離が複数個あれば、複数個の液晶滴の重さを測定する第３の段階と；
確定された距離がなければ、
前記吐出された１つの液晶滴の重さが、前記許容範囲内に収まっている場合は、前記一定距離を、設定された液晶滴の重さが吐出されるように、前記ピストンが下降すべき距離として確定し、
前記許容範囲を外れる場合は、
前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開けながら、前記第１の段階から第３の段階を実行し、
前記第１の段階のシリンダー内に設けられたピストンを回転させて液晶流出口を閉じ、液晶流入口を開けることを除き、実行し、
確定された距離が１つあれば、
前記吐出された２つの液晶滴の重さから、前記ピストンが前記確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離だけ上昇させながら、前記第１の段階から第３の段階を実行し、
前記第１の段階のシリンダー内に設けられたピストンを回転させて液晶流出口を閉じ、液晶流入口を開けることを除き、実行し、
確定された距離が複数個あれば、
前記吐出された複数個の液晶滴の重さから、前記ピストンが前記複数個の確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離だけ上昇させながら、前記第１の段階から第３の段階を実行し、
前記第１の段階のシリンダー内に設けられたピストンを回転させて液晶流出口を閉じ、液晶流入口を開けることを除き、実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と、
を含む液晶滴の重さの設定方法。
【請求項４】
シリンダー内に設けられたピストンを回転させて液晶流出口を閉じ、液晶流入口を開け、基準点からピストンを、一定距離に追加距離を足した距離だけ上昇させて液晶を吸入させる第１の段階と；
前記ピストンを回転させて前記液晶流入口を閉じ、前記液晶流出口を開け、前記ピストンを前記追加距離だけ下降させ、液晶を前記液晶流出口とノズルとを介して液晶滴として吐出させる第２の段階と；
前記ピストンを前記一定距離だけ下降させ、液晶を前記液晶流出口とノズルとを介して液晶滴として吐出させる第３の段階と；
前記第３の段階で吐出された液晶滴の重さを測定する第４の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第４の段階を実行する第５の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第５の段階を実行し、前記第１の段階のシリンダー内に設けられたピストンを回転させて液晶流出口を閉じ、液晶流入口を開けることを除き、実行する第６の段階と、
を含む、液晶滴の重さの設定方法。
【請求項５】
シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第６の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第７の段階と、
を含む、設定された重さを持った液晶滴を単位パネル領域に吐出させる方法。
【請求項６】
シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、
確定された距離が１つあれば、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させるか、
確定された距離が２つ以上あれば、前記ピストンを最も下にある確定された距離の開始点まで下降させて液晶を吐出させた後、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させ、
設定された液晶滴の重さが吐出されるように、前記ピストンが下降すべき距離として新たに確定しようとする距離の基準点を直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第６の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第７の段階と、
を含む、設定された重さを持った液晶滴を単位パネル領域に吐出させる方法。
【請求項７】
シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、
確定された距離がなければ、前記ピストンを前記一定距離だけ下降させ、液晶を前記液晶流出口とノズルとを介して１つの液晶滴として吐出させ、
確定された距離が１つあれば、前記ピストンを前記確定された距離に前記一定距離を足した距離だけ下降させ、液晶を前記液晶流出口とノズルとを介して２つの液晶滴として吐出させ、
確定された距離が複数個あれば、前記ピストンを前記複数個の確定された距離に前記一定距離を足した距離だけ下降させ、液晶を前記液晶流出口とノズルとを介して複数個の液晶滴として吐出させる第２の段階と；
確定された距離がなければ、１つの液晶滴の重さを測定し、確定された距離が１つあれば、２つの液晶滴の重さを測定し、確定された距離が複数個あれば、複数個の液晶滴の重さを測定する第３の段階と；
確定された距離がなければ、
前記吐出された１つの液晶滴の重さが、前記許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開けながら、前記第１の段階から第３の段階を実行し、
前記第１の段階のシリンダー内に設けられたピストンを回転させて液晶流出口を閉じ、液晶流入口を開けることを除き、実行し、
確定された距離が１つあれば、
前記吐出された２つの液晶滴の重さから、前記ピストンが前記確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離だけ上昇させながら、前記第１の段階から第３の段階を実行し、
前記第１の段階のシリンダー内に設けられたピストンを回転させて液晶流出口を閉じ、液晶流入口を開けることを除き、実行し、
確定された距離が複数個あれば、
前記吐出された複数個の液晶滴の重さから、前記ピストンが前記複数個の確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離又は確定された距離だけ上昇させながら、前記第１の段階から第３の段階を実行し、
前記第１の段階のシリンダー内に設けられたピストンを回転させて液晶流出口を閉じ、液晶流入口を開けることを除き、実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第６の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第７の段階と、
を含む、設定された重さを持った液晶滴を単位パネル領域に吐出させる方法。
【請求項８】
シリンダー内に設けられたピストンを回転させて液晶流出口を閉じ、液晶流入口を開け、基準点からピストンを、一定距離に追加距離を足した距離だけ上昇させて液晶を吸入させる第１の段階と；
前記ピストンを回転させて前記液晶流入口を閉じ、前記液晶流出口を開け、前記ピストンを前記追加距離だけ下降させ、液晶を前記液晶流出口とノズルとを介して液晶滴として吐出させる第２の段階と；
前記ピストンを前記一定距離だけ下降させ、液晶を前記液晶流出口とノズルとを介して液晶滴として吐出させる第３の段階と；
前記第３の段階で吐出された液晶滴の重さを測定する第４の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第４の段階を実行する第５の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第５の段階を実行し、前記第１の段階のシリンダー内に設けられたピストンを回転させて液晶流出口を閉じ、液晶流入口を開けることを除き、実行する第６の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第７の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第８段階と、
を含む、設定された重さを持った液晶滴を単位パネル領域に吐出させる方法。
【発明の詳細な説明】
【技術分野】
【０００１】
本発明は、液晶ディスペンサーに関する。
【背景技術】
【０００２】
ＬＣＤ(Liquid Crystal Display)は、カラーを具現するために、カラーフィルター(Color Filter)層が備えられたマザー基板と、薄膜トランジスター(Thin Film Transistor)が備えられたマザー基板と、マザー基板間に備えられた液晶層と、を含む。
【０００３】
ＬＣＤは、液晶層を構成する液晶分子を駆動素子として駆動し、液晶層を透過する量を制御することで、画像を表示する。
【０００４】
液晶ディスペンサーは、単位パネル領域にノズルを介して液晶滴を吐出させる。
【０００５】
単位パネル領域は、液晶滴が吐出される領域を意味し、マザー基板には、少なくとも一つ以上の単位パネル領域が定義される。
【０００６】
図１（ａ）は、シリンダー及びその内部に設けられたピストンの縦断面図であり、吸入行程時のピストンの位置を示す。
【０００７】
図１（ｂ）は、シリンダー及びその内部に設けられたピストンの縦断面図であり、吐出行程時のピストンの位置を示す。
【０００８】
ここで、図１（ａ）及び図２（ｂ）に示される点線矢印は、液晶の移動方向を示す。また、図１（ａ）及び図２（ｂ）に示される実線矢印は、ピストンの上下運動及び回転運動方向を示す。
【０００９】
図１（ａ）及び図２（ｂ）を参照すると、シリンダー２１は、ヘッドユニット（図示せず）に設けられる。シリンダー２１は、外周壁に液晶流入口２１ａと液晶流出口２１ｂとを具備する。液晶流出口２１ｂは、液晶流入口２１ａの反対方向に位置する。液晶流入口２１ａには、液晶が流れ込まれる。液晶流出口２１ｂからは、液晶が流出される。シリンダー２１は、中心部にピストン孔２１ｄを具備する。ピストン孔２１ｄには、ピストン２２が設けられる。液晶流入口２１ａは、ピストン孔２１ｄに連通する。液晶流入口２１ａは、チューブ（図示せず）で液晶格納容器（図示せず）に連結される。液晶流出口２１ｂは、ピストン孔２１ｄに連通する。液晶流出口２１ｂは、チューブ（図示せず）でノズル（Ｎ）に連結される。
【００１０】
ピストン２２は、回転角度に応じて、液晶流入口２１ａと液晶流出口２１ｂとを開けるか、閉じることのできる溝２２ａを具備する。前記溝２２ａは、ピストン２２の一部を長さ方向にカット(cutting)して形成される。ピストン２２は、ピストン孔２１ｄでピストンの中心軸（以下、“Ｚ軸”と称する。）を中心として回転し、Ｚ軸に沿って上下運動する。
【００１１】
図２は、マザー基板上に定義された単位パネル領域に液晶滴を吐出させるためにヘッドユニットが過ぎる経路を示す図である。
【００１２】
図２を参照すれば、マザー基板（ＭＰ）には、単位パネル領域（１）、単位パネル領域（２）が定義されている。単位パネル領域（１、２）には、各々４つの液晶滴が吐出される。
【００１３】
単位パネル領域は、２つより少なくても、多くてもよい。また、単位パネル領域に４つより少ないか、多い個数の液晶滴が吐出されてもよい。
【００１４】
図１（ａ）、図１（ｂ）及び図２を参照して、単位パネル領域（１）、単位パネル領域（２）に液晶滴を吐出させる方法を説明する。
【００１５】
ピストン２２をＺ軸を中心として反時計回りに回転させ、溝２２ａが液晶流入口２１ａに向かうようにする。この場合、液晶流出口２１ｂが閉じ、液晶流入口２１ａが開く。
【００１６】
ピストン２２をＺ軸に沿って基準点（Ｐ０）から４Ｌ０（Ｌ０＋Ｌ０＋Ｌ０＋Ｌ０）だけ上昇させて液晶を吸入させる。この場合、液晶が空間Ｓ１、Ｓ２、Ｓ３、Ｓ４に満たされる。
【００１７】
ここで、基準点（Ｐ０）は、底面２１ｃに位置する。
【００１８】
もちろん、基準点（Ｐ０）を、シリンダー２１の底面２１ｃでなく、底面２１ｃから上側に一定距離だけ離れた点に設定することもできる。
【００１９】
ピストン２２は、初期にＺ０に位置する。
【００２０】
前記空間Ｓ１、Ｓ２、Ｓ３、Ｓ４は、各々同じ距離Ｌ０を持つ。
【００２１】
ピストン２２をＺ軸を中心として時計方向に回転させ、溝２２ａが液晶流出口２１ｂに向かうようにする。この場合、液晶流入口２１ａが閉じ、液晶流出口２１ｂが開く。
【００２２】
ヘッドユニットは、単位パネル領域（１）に設定された数の液晶滴を全部吐出した後に、単位パネル領域（２）に設定された数の液晶滴を吐出させること（これを、全体吐出方式と定義する）でなく、単位パネル領域（１）、単位パネル領域（２）に各々設定された液晶滴の数のうちの一部だけ、ヘッドユニットが単位パネル領域（１）、単位パネル領域（２）上を通過しながら吐出させる。これを繰り返して、単位パネル領域（１）、単位パネル領域（２）に各々設定された液晶滴の数を吐出するようになる。これを部分吐出方式と定義する。
【００２３】
ヘッドユニットは、単位パネル領域（１）の上側の液晶滴Ｄ１が吐出されるべき位置で、ピストン２２をＺ軸に沿って一定距離Ｌ０だけＺ０からＺ１に下降させる。この場合、第４の空間Ｓ４に満たされた液晶が液晶滴として吐出される。
【００２４】
ヘッドユニットは、単位パネル領域（２）の上側の液晶滴Ｄ２が吐出されるべき位置で、ピストン２２をＺ軸に沿って一定距離Ｌ０だけＺ１からＺ２に下降させる。この場合、第３の空間Ｓ３に満たされた液晶が液晶滴として吐出される。
【００２５】
ヘッドユニットは、単位パネル領域（２）の上側の液晶滴Ｄ３が吐出されるべき位置で、ピストン２２をＺ軸に沿って一定距離Ｌ０だけＺ２からＺ３に下降させる。この場合、第２の空間Ｓ２に満たされた液晶が液晶滴として吐出される。
【００２６】
ヘッドユニットは、単位パネル領域（２）の上側の液晶滴Ｄ４が吐出されるべき位置で、ピストン２２をＺ軸に沿って一定距離Ｌ０だけＺ３からＺ４に下降させる。この場合、第１の空間Ｓ１に満たされた液晶が液晶滴として吐出される。
【００２７】
空間Ｓ１、Ｓ２、Ｓ３、Ｓ４に満たされた液晶が全部液晶滴として吐出されたので、再度空間Ｓ１、Ｓ２、Ｓ３、Ｓ４に液晶を満たす。
【００２８】
このために、ピストン２２をＺ軸を中心として反時計回りに回転させ、溝２２ａが液晶流入口２１ａに向かうようにする。この場合、液晶流出口２１ｂが閉じ、液晶流入口２１ａが開く。
【００２９】
ピストン２２をＺ軸に沿って基準点（Ｐ０）から４Ｌ０（Ｌ０＋Ｌ０＋Ｌ０＋Ｌ０）だけ上昇させて液晶を吸入させる。この場合、液晶が空間Ｓ１、Ｓ２、Ｓ３、Ｓ４に満たされる。
【００３０】
ピストン２２は、初期にＺ０に位置する。
【００３１】
ピストン２２をＺ軸を中心として時計方向に回転させ、溝２２ａが液晶流出口２１ｂに向かうようにする。この場合、液晶流入口２１ａが閉じ、液晶流出口２１ｂが開く。
【００３２】
ヘッドユニットは、単位パネル領域（１）の上側の液晶滴Ｄ５が吐出されるべき位置で、ピストン２２をＺ軸に沿って一定距離Ｌ０だけＺ０からＺ１に下降させる。この場合、第４の空間Ｓ４に満たされた液晶が液晶滴として吐出される。
【００３３】
ヘッドユニットは、単位パネル領域（１）の上側の液晶滴Ｄ６が吐出されるべき位置で、ピストン２２をＺ軸に沿って一定距離Ｌ０だけＺ１からＺ２に下降させる。この場合、第３の空間Ｓ３に満たされた液晶が液晶滴として吐出される。
【００３４】
ヘッドユニットは、単位パネル領域（１）の上側の液晶滴Ｄ７が吐出されるべき位置で、ピストン２２をＺ軸に沿って一定距離Ｌ０だけＺ２からＺ３に下降させる。この場合、第２の空間Ｓ２に満たされた液晶が液晶滴として吐出される。
【００３５】
ヘッドユニットは、単位パネル領域（２）の上側の液晶滴Ｄ８が吐出されるべき位置で、ピストン２２は、Ｚ軸に沿って一定距離Ｌ０だけＺ３からＺ４に下降する。この場合、第１の空間Ｓ１に満たされた液晶が液晶滴として吐出される。
【００３６】
このような方式により、単位パネル領域（１）と単位パネル領域（２）とに設定された位置の各々に液晶滴が吐出される。
【００３７】
一方、ピストン孔２１ｄの内部は、同じ距離Ｌ０を持った空間Ｓ１、Ｓ２、Ｓ３、Ｓ４に分けられている。したがって、空間Ｓ１、Ｓ２、Ｓ３、Ｓ４に満たされる液晶の重さも理論的に同一でなければならない。
【００３８】
しかしながら、空間Ｓ１、Ｓ２、Ｓ３、Ｓ４に満たされる液晶の重さは、実際に各々異なる。
【００３９】
なぜならば、シリンダー２１及びピストン２２が製作される際に発生する誤差（例えば、シリンダーの内面とピストンの表面とが粗く処理されることにより発生する誤差）と、シリンダー２１にピストン２２が設けられる際に発生する誤差、などがあるためである。
【００４０】
例えば、第４の空間Ｓ４に満たされる液晶の重さは、１．６ｍｇ、第３の空間Ｓ３に満たされる液晶の重さは、１．２ｍｇ、第２の空間Ｓ２に満たされる液晶の重さは、０．８ｍｇ、第１の空間Ｓ１に満たされる液晶の重さは、０．４ｍｇと仮定する。理論的には、空間Ｓ１、Ｓ２、Ｓ３、Ｓ４の各々に満たされる液晶の重さは、１ｍｇである。
【００４１】
単位パネル領域（１）に理論的に４つの１ｍｇの液晶滴（Ｄ１、Ｄ５、Ｄ６、Ｄ７）が吐出されたので、単位パネル領域（１）は、４ｍｇの液晶重さを持たなければならない。ここで、４ｍｇを、単位パネル領域（１）が持たなければならない基準重さと定義する。
【００４２】
しかしながら、実際に単位パネル領域（１）には、１．６ｍｇの重さを持つ液晶滴Ｄ１、１．６ｍｇの重さを持つ液晶滴Ｄ５、１．２ｍｇの重さを持つ液晶滴Ｄ６、０．８ｍｇの重さを持つ液晶滴Ｄ７が吐出された。
【００４３】
したがって、単位パネル領域（１）が実際に持つ液晶重さは、５．２ｍｇ（１．６＋１．６＋１．２＋０．８）になる。
【００４４】
したがって、単位パネル領域（１）に、液晶が基準重さ４ｍｇより１．２ｍｇ多く吐出された。
【００４５】
一方、単位パネル領域（２）に理論的に４つの１ｍｇの液晶滴（Ｄ２、Ｄ３、Ｄ４、Ｄ８）が吐出されたので、単位パネル領域（２）は、４ｍｇの液晶重さを持たなければならない。ここで、４ｍｇを、単位パネル領域（２）が持たなければならない基準重さと定義する。
【００４６】
しかしながら、実際に単位パネル領域（２）には、１．２ｍｇの重さを持つ液晶滴Ｄ２、０．８ｍｇの重さを持つ液晶滴Ｄ３、０．４ｍｇの重さを持つ液晶滴Ｄ４、０．４ｍｇの重さを持つ液晶滴Ｄ８が吐出された。
【００４７】
したがって、単位パネル領域（２）が実際に持つ液晶重さは、２．８ｍｇ（１．２＋０．８＋０．４＋０．４）になる。
【００４８】
したがって、単位パネル領域（１）に、液晶が基準重さ４ｍｇより１．２ｍｇ少なく吐出された。
【００４９】
一方、空間Ｓ１、Ｓ２、Ｓ３、Ｓ４に液晶を吸入させた後、吸入された液晶を全部単位パネル領域（１）に吐出した後、空間Ｓ１、Ｓ２、Ｓ３、Ｓ４に液晶を更に吸入させ、吸入された液晶を単位パネル領域（２）に全部吐出させると仮定する。
【００５０】
すると、液晶滴の各々の重さが異なっていても、単位パネル領域（１）と単位パネル領域（２）とに吐出された液晶の重さは、単位パネル領域（１）と単位パネル領域（２）の各々の基準重さである４ｍｇと一致することになる。もちろん、この場合も、空間Ｓ１、Ｓ２、Ｓ３、Ｓ４に吸入された液晶の重さが、基準重さである４ｍｇにならなければならないという前提がなければならない。
【００５１】
しかしながら、全体吐出方式により液晶滴を吐出する場合、部分吐出方式に比べて液晶滴を吐出させる時間を減らし難い。
【００５２】
なぜならば、ヘッドユニットが進行する方向が、Ｙ軸方向からＸ軸方向へ、又は、Ｙ軸方向からＸ軸方向へ変わる変曲点が多くなるためである。
【発明の開示】
【発明が解決しようとする課題】
【００５３】
本発明の目的は、単位パネル領域に吐出されるべき液晶滴の各々の重さを液晶滴の各々の基準重さとして設定することにある。
【００５４】
また、本発明の目的は、全体吐出方式又は部分吐出方式により基準重さを持った液晶滴を単位パネル領域に吐出させることにある。
【課題を解決するための手段】
【００５５】
前記目的を達成するための、本発明に係る液晶滴の重さの設定方法は、シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と；を含む。
【００５６】
また、前記目的は、シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、
確定された距離が１つあれば、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させるか、
確定された距離が２つ以上あれば、前記ピストンを最も下にある確定された距離の開始点まで下降させて液晶を吐出させた後、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させ、
設定された液晶滴の重さが吐出されるように、前記ピストンが下降すべき距離として新たに確定しようとする距離の基準点を直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と、を含む、液晶滴の重さの設定方法により達成される。
【００５７】
また、前記目的は、シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、
確定された距離がなければ、前記ピストンを前記一定距離だけ下降させ、
確定された距離がなければ、前記ピストンを前記一定距離だけ下降させ、液晶を前記液晶流出口とノズルとを介して１つの液晶滴として吐出させ、
確定された距離が１つあれば、前記ピストンを前記確定された距離に前記一定距離を足した距離だけ下降させ、液晶を前記液晶流出口とノズルとを介して２つの液晶滴として吐出させ、
確定された距離が複数個あれば、前記ピストンを前記複数個の確定された距離に前記一定距離を足した距離だけ下降させ、液晶を前記液晶流出口とノズルとを介して複数個の液晶滴として吐出させる第２の段階と；
確定された距離がなければ、１つの液晶滴の重さを測定し、確定された距離が１つあれば、２つの液晶滴の重さを測定し、確定された距離が複数個あれば、複数個の液晶滴の重さを測定する第３の段階と；
確定された距離がなければ、
前記吐出された１つの液晶滴の重さが、前記許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開けながら、前記第１の段階から第３の段階を実行し、
前記第１の段階のシリンダー内に設けられたピストンを回転させて液晶流出口を閉じ、液晶流入口を開けることを除き、実行し、
確定された距離が１つあれば、
前記吐出された２つの液晶滴の重さから、前記ピストンが前記確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離だけ上昇させながら、前記第１の段階から第３の段階を実行し、
前記第１の段階のシリンダー内に設けられたピストンを回転させて液晶流出口を閉じ、液晶流入口を開けることを除き、実行し、
確定された距離が複数個あれば、
前記吐出された複数個の液晶滴の重さから、前記ピストンが前記複数個の確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離だけ上昇させながら、前記第１の段階から第３の段階を実行し、
前記第１の段階のシリンダー内に設けられたピストンを回転させて液晶流出口を閉じ、液晶流入口を開けることを除き、実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と、を含む、液晶滴の重さの設定方法により達成される。
【００５８】
また、前記目的は、シリンダー内に設けられたピストンを回転させて液晶流出口を閉じ、液晶流入口を開け、基準点からピストンを、一定距離に追加距離を足した距離だけ上昇させて液晶を吸入させる第１の段階と；
前記ピストンを回転させて前記液晶流入口を閉じ、前記液晶流出口を開け、前記ピストンを前記追加距離だけ下降させ、液晶を前記液晶流出口とノズルとを介して液晶滴として吐出させる第２の段階と；
前記ピストンを前記一定距離だけ下降させ、液晶を前記液晶流出口とノズルとを介して液晶滴として吐出させる第３の段階と；
前記第３の段階で吐出された液晶滴の重さを測定する第４の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第４の段階を実行する第５の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第５の段階を実行し、前記第１の段階のシリンダー内に設けられたピストンを回転させて液晶流出口を閉じ、液晶流入口を開けることを除き、実行する第６の段階と、を含む、液晶滴の重さの設定方法により達成される。
【００５９】
また、本発明に係る設定された重さを持った液晶滴を単位パネル領域に吐出させる方法は、
シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第６の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第７の段階と、を含む。
【００６０】
また、前記目的は、シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、前記ピストンを前記一定距離だけ下降させ、液晶を前記液晶流出口とノズルとを介して液晶滴として吐出させる第２の段階と；
前記吐出された液晶滴の重さを測定する第３の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第３の段階を実行する第４の段階と；
設定された液晶滴の重さが吐出されるように、前記ピストンが下降すべき距離として新たに確定しようとする距離の数だけ、
確定された距離が１つあれば、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させるか、
確定された距離が２つ以上あれば、前記ピストンを最も下にある確定された距離の開始点まで下降させて液晶を吐出させた後、前記ピストンを回転させて前記液晶流出口を閉じ、前記液晶流入口を開け、前記ピストンを、前記設定された液晶滴の重さが吐出されるように、前記ピストンが下降すべき距離として新たに確定しようとする距離の直下の前記確定された距離の終点まで上昇させて液晶を吸入させ、
設定された液晶滴の重さが吐出されるように、前記ピストンが下降すべき距離として新たに確定しようとする距離の基準点を直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第６の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第７の段階と、を含む、設定された重さを持った液晶滴を単位パネル領域に吐出させる方法により達成される。
【００６１】
また、前記目的は、シリンダー内に設けられたピストンを回転させて液晶流出口を閉じ、液晶流入口を開け、基準点から前記ピストンを一定距離だけ上昇させて液晶を吸入させる第１の段階と；
前記ピストンを回転させて前記液晶流入口を閉じ、前記液晶流出口を開け、
確定された距離がなければ、前記ピストンを前記一定距離だけ下降させ、液晶を前記液晶流出口とノズルとを介して１つの液晶滴として吐出させ、
確定された距離が１つあれば、前記ピストンを前記確定された距離に前記一定距離を足した距離だけ下降させ、液晶を前記液晶流出口とノズルとを介して２つの液晶滴として吐出させ、
確定された距離が複数個あれば、前記ピストンを前記複数個の確定された距離に前記一定距離を足した距離だけ下降させ、液晶を前記液晶流出口とノズルとを介して複数個の液晶滴として吐出させる第２の段階と；
確定された距離がなければ、１つの液晶滴の重さを測定し、確定された距離が１つあれば、２つの液晶滴の重さを測定し、確定された距離が複数個あれば、複数個の液晶滴の重さを測定する第３の段階と；
確定された距離がなければ、
前記吐出された１つの液晶滴の重さが、前記許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開けながら、前記第１の段階から第３の段階を実行し、
前記第１の段階のシリンダー内に設けられたピストンを回転させて液晶流出口を閉じ、液晶流入口を開けることを除き、実行し、
確定された距離が１つあれば、
前記吐出された２つの液晶滴の重さから、前記ピストンが前記確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離だけ上昇させながら、前記第１の段階から第３の段階を実行し、
前記第１の段階のシリンダー内に設けられたピストンを回転させて液晶流出口を閉じ、液晶流入口を開けることを除き、実行し、
確定された距離が複数個あれば、
前記吐出された複数個の液晶滴の重さから、前記ピストンが前記複数個の確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストンを回転させて前記液晶流出口を閉じ、前記液晶流入口を開け、前記ピストンを前記確定された距離又は確定された距離だけ上昇させながら、前記第１の段階から第３の段階を実行し、
前記第１の段階のシリンダー内に設けられたピストンを回転させて液晶流出口を閉じ、液晶流入口を開けることを除き、実行する第４の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第４の段階を実行し、前記第１の段階のシリンダー内に設けられたピストンを回転させて液晶流出口を閉じ、液晶流入口を開けることを除き、実行する第５の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第６の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第７の段階と、を含む、設定された重さを持った液晶滴を単位パネル領域に吐出させる方法により達成される。
【００６２】
また、前記目的は、シリンダー内に設けられたピストンを回転させて液晶流出口を閉じ、液晶流入口を開け、基準点からピストンを、一定距離に追加距離を足した距離だけ上昇させて液晶を吸入させる第１の段階と；
前記ピストンを回転させて前記液晶流入口を閉じ、前記液晶流出口を開け、前記ピストンを前記追加距離だけ下降させ、液晶を前記液晶流出口とノズルとを介して液晶滴として吐出させる第２の段階と；
前記ピストンを前記一定距離だけ下降させ、液晶を前記液晶流出口とノズルとを介して液晶滴として吐出させる第３の段階と；
前記第３の段階で吐出された液晶滴の重さを測定する第４の段階と；
前記測定された液晶滴の重さが許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記第１の段階から第４の段階を実行する第５の段階と；
設定された液晶滴の重さが吐出されるように、前記ピストンが下降すべき距離として新たに確定しようとする距離の数だけ、前記ピストンを回転させて前記液晶流出口を閉じ、前記液晶流入口を開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階から第５の段階を実行し、前記第１の段階のシリンダー内に設けられたピストンを回転させて液晶流出口を閉じ、液晶流入口を開けることを除き、実行する第６の段階と；
前記ピストンを、確定された距離のうち最も下にある確定された距離の開始点に下降させて前記シリンダーの内部に残っている液晶を吐出させ、前記ピストンを回転させて前記液晶流出口を閉じ、前記液晶流入口を開け、前記ピストンを前記確定された距離だけ上昇させて液晶を吸入させる第７の段階と；
前記ピストンを回転させて前記液晶流入口を閉じ、液晶流出口を開け、ヘッドユニットが単位パネル領域上を過ぎながら、前記単位パネル領域の各々に設定された液晶滴の数を、前記ピストンを前記確定された距離の各々の距離だけ順に下降させながら、前記液晶流出口と前記ノズルとを介して吐出させる第８段階と、を含む、設定された重さを持った液晶滴を単位パネル領域に吐出させる方法により達成される。
【発明の効果】
【００６３】
以上のように、本発明によれば、シリンダー及びピストンを製作する際に発生する誤差と、シリンダーとピストンを設ける際に発生する誤差、などがあり、シリンダーの内部壁とピストンの下部面とが一定でなくても、単位パネル領域に吐出されるべき液晶滴の各々の重さを液晶滴の各々の基準重さとして設定できる。また、全体吐出方式又は部分吐出方式により基準重さを持った液晶滴を単位パネル領域に吐出させることができる。
【図面の簡単な説明】
【００６４】
【図１】図１ａは、シリンダー及びその内部に設けられたピストンの縦断面図であって、吸入行程時のピストンの位置を示し、図１ｂは、シリンダー及びその内部に設けられたピストンの縦断面図であって、吐出行程時のピストンの位置を示す図である。
【図２】図２は、マザー基板上に定義された単位パネル領域に液晶滴を吐出させるためにヘッドユニットが過ぎる経路を示す図である。
【図３】図３は、本発明である液晶滴の重さの設定方法及びその設定された重さを持った液晶滴を単位パネル領域に吐出させる方法が具現される液晶ディスペンサーの斜視図である。
【図４】図４は、本発明の第１の実施形態に係る液晶滴の重さの設定方法を示す順序図である。
【図５】図５（ａ）（ｂ）（ｃ）（ｄ）は、図４の液晶滴の重さの設定方法で、第１の空間に満たされた液晶を吐出させるべく、ピストンが下降すべき距離を確定するために、シリンダー内のピストンの位置を順に示す図である。
【図６】図６（ａ）（ｂ）（ｃ）（ｄ）は、図４の液晶滴の重さの設定方法で、第２の空間に満たされた液晶を吐出させるべく、ピストンが下降すべき距離を確定するために、シリンダー内のピストンの位置を順に示す図である。
【図７】図７（ａ）（ｂ）（ｃ）（ｄ）は、図４の液晶滴の重さの設定方法で、第３の空間に満たされた液晶を吐出させるべく、ピストンが下降すべき距離を確定するために、シリンダー内のピストンの位置を順に示す図である。
【図８】図８（ａ）（ｂ）（ｃ）（ｄ）は、図４の液晶滴の重さの設定方法で、第４の空間に満たされた液晶を吐出させるべく、ピストンが下降すべき距離を確定するために、シリンダー内のピストンの位置を順に示す図である。
【図９】図９は、本発明の第２の実施形態に係る液晶滴の重さの設定方法を示す順序図である。
【図１０】図１０（ａ）（ｂ）（ｃ）（ｄ）は、図９の液晶滴の重さの設定方法で、第１の空間に満たされた液晶を吐出させるべく、ピストンが下降すべき距離を確定するために、シリンダー内のピストンの位置を順に示す図である。
【図１１】図１１（ａ）（ｂ）（ｃ）（ｄ）（ｅ）は、図９の液晶滴の重さの設定方法で、第２の空間に満たされた液晶を吐出させるべく、ピストンが下降すべき距離を確定するために、シリンダー内のピストンの位置を順に示す図である。
【図１２】図１２（ａ）（ｂ）（ｃ）（ｄ）（ｅ）は、図９の液晶滴の重さの設定方法で、第３の空間に満たされた液晶を吐出させるべく、ピストンが下降すべき距離を確定するために、シリンダー内のピストンの位置を順に示す図である。
【図１３】図１３（ａ）（ｂ）（ｃ）（ｄ）は、図９の液晶滴の重さの設定方法で、第４の空間に満たされた液晶を吐出させるべく、ピストンが下降すべき距離を確定するために、シリンダー内のピストンの位置を順に示す図である。
【図１４】図１４は、本発明の第３の実施形態に係る液晶滴の重さの設定方法を示す順序図である。
【図１５】図１５（ａ）（ｂ）（ｃ）（ｄ）は、図１４の液晶滴の重さの設定方法で、第１の空間に満たされた液晶を吐出させるべく、ピストンが下降すべき距離を確定するために、シリンダー内のピストンの位置を順に示す図である。
【図１６】図１６（ａ）（ｂ）（ｃ）（ｄ）は、図１４の液晶滴の重さの設定方法で、第２の空間に満たされた液晶を吐出させるべく、ピストンが下降すべき距離を確定するために、シリンダー内のピストンの位置を順に示す図である。
【図１７】図１７（ａ）（ｂ）（ｃ）（ｄ）は、図１４の液晶滴の重さの設定方法で、第３の空間に満たされた液晶を吐出させるべく、ピストンが下降すべき距離を確定するために、シリンダー内のピストンの位置を順に示す図である。
【図１８】図１８（ａ）（ｂ）（ｃ）（ｄ）は、図１４の液晶滴の重さの設定方法で、第４の空間に満たされた液晶を吐出させるべく、ピストンが下降すべき距離を確定するために、シリンダー内のピストンの位置を順に示す図である。
【図１９】図１９は、本発明の第４の実施形態に係る液晶滴の重さの設定方法を示す順序図である。
【図２０】図２０（ａ）（ｂ）（ｃ）（ｄ）（ｅ）（ｆ）は、図１９の液晶滴の重さの設定方法で、第１の空間に満たされた液晶を吐出させるべく、ピストンが下降すべき距離を確定するために、シリンダー内のピストンの位置を順に示す図である。
【図２１】図２１（ａ）（ｂ）（ｃ）（ｄ）（ｅ）（ｆ）は、図１９の液晶滴の重さの設定方法で、第２の空間に満たされた液晶を吐出させるべく、ピストンが下降すべき距離を確定するために、シリンダー内のピストンの位置を順に示す図である。
【図２２】図２２（ａ）（ｂ）（ｃ）（ｄ）（ｅ）（ｆ）は、図１９の液晶滴の重さの設定方法で、第３の空間に満たされた液晶を吐出させるべく、ピストンが下降すべき距離を確定するために、シリンダー内のピストンの位置を順に示す図である。
【図２３】図２３（ａ）（ｂ）（ｃ）（ｄ）（ｅ）（ｆ）は、図１９の液晶滴の重さの設定方法で、第４の空間に満たされた液晶を吐出させるべく、ピストンが下降すべき距離を確定するために、シリンダー内のピストンの位置を順に示す図である。
【図２４】図２４ａは、シリンダー及びその内部に設けられたピストンの縦断面図であって、吸入行程時のピストンの位置及び第１の実施形態により距離が確定された空間を示す図であり、図２４ｂは、シリンダー及びその内部に設けられたピストンの縦断面図であって、吐出行程時のピストンの位置及び第１の実施形態により距離が確定された空間を示す図である。
【図２５】図２５は、マザー基板上に定義された単位パネル領域に液晶滴を吐出させるためにヘッドユニットが過ぎる経路を示す図である。
【発明を実施するための形態】
【００６５】
図３は、本発明である液晶滴の重さの設定方法及びその設定された重さを持った液晶滴を単位パネル領域に吐出させる方法が具現される液晶ディスペンサーの斜視図である。
【００６６】
図３に示されるように、液晶ディスペンサーは、フレーム１１と、固定テーブル１２と、ステージ１３と、第１の駆動ユニット１４と、ヘッド支持台１５と、第２の駆動ユニット１７と、ヘッドユニット２０と、電子秤３０と、を含む。
【００６７】
前記固定テーブル１２は、フレーム１１の上部に固定設置される。
【００６８】
前記ステージ１３は、固定テーブル１２の上部にＹ軸方向へ移動可能に設けられる。前記ステージ１３の上部には、マザー基板ＭＰが置かれる。
【００６９】
前記固定テーブル１２には、ステージ１３を駆動するリニアモーター（図示せず）が設けられる。
【００７０】
前記第１の駆動ユニット１４は、１個ずつ固定テーブル１２の両側に各々設けられる。前記第１の駆動ユニット１４は、フレーム１１とヘッド支持台１５との間に位置する。前記第１の駆動ユニット１４の一端は、フレーム１１に結合され、他端は、ヘッド支持台１５に結合される。前記第１の駆動ユニット１４は、ヘッド支持台１５をＹ軸方向へ移動させる。前記第１の駆動ユニット１４は、リニアモーターであることが望ましい。
【００７１】
前記ヘッド支持台１５は、ステージ１３の上側を横切る。前記ヘッドユニット２０は、ヘッド支持台１５に設けられる。
【００７２】
前記電子秤３０は、フレーム１１に設けられる。前記電子秤３０は、液晶滴の重さを測定する。前記電子秤３０は、液晶滴が置かれる測定板３１を持つ。液晶滴が測定板３１に置かれる場合、電子秤３１は、液晶滴の重さを測定できる。前記電子秤３１は、測定された液晶滴の重さについての情報を制御部（図示せず）に送る。
【００７３】
前記第２の駆動ユニット１７は、ヘッド支持台１５とヘッドユニット２０との間に位置する。前記第２の駆動ユニット１７の一端は、ヘッド支持台１５に結合され、他端は、ヘッドユニット２０に結合される。前記第２の駆動ユニット１７は、ヘッドユニット２０をＸ軸方向へ移動させる。前記第２の駆動ユニット１７は、リニアモーターであることが望ましい。
【００７４】
図４は、本発明の第１の実施形態に係る液晶滴の重さの設定方法を示す順序図である。図５（ａ）（ｂ）（ｃ）（ｄ）は、図４の液晶滴の重さの設定方法で、第１の空間に満たされた液晶を吐出させるべく、ピストンが下降すべき距離を確定するために、シリンダー内のピストンの位置を順に示す図である。図６（ａ）（ｂ）（ｃ）（ｄ）は、図４の液晶滴の重さの設定方法で、第２の空間に満たされた液晶を吐出させるべく、ピストンが下降すべき距離を確定するために、シリンダー内のピストンの位置を順に示す図である。図７（ａ）（ｂ）（ｃ）（ｄ）は、図４の液晶滴の重さの設定方法で、第３の空間に満たされた液晶を吐出させるべく、ピストンが下降すべき距離を確定するために、シリンダー内のピストンの位置を順に示す図である。図８（ａ）（ｂ）（ｃ）（ｄ）は、図４の液晶滴の重さの設定方法で、第４の空間に満たされた液晶を吐出させるべく、ピストンが下降すべき距離を確定するために、シリンダー内のピストンの位置を順に示す図である。
【００７５】
第１の実施形態では、設定された液晶滴の重さが１ｍｇである液晶滴を４つ吐出するために、１ｍｇの液晶が各々満たされる４つの空間Ｓ１、Ｓ２、Ｓ３、Ｓ４内でピストンが下降すべき距離を確定する。したがって、確定しようとする距離の数は、４である。
【００７６】
もちろん、１つの液晶滴の重さを１ｍｇより少なく又は多く設定することもできる。
【００７７】
もちろん、確定しようとする距離の数は、４より少なく又は多く定めることもできる。
【００７８】
そして、第１の空間Ｓ１、第２の空間Ｓ２、第３の空間Ｓ３、第４の空間Ｓ４の順に設定された液晶滴の重さ１ｍｇが吐出されるために、ピストンが下降すべき距離が確定される。
【００７９】
図４を参照すれば、本発明の第１の実施形態に係る液晶滴の重さの設定方法は、
シリンダー２１内に設けられたピストン２２を回転させて液晶流出口２１ｂを閉じ、液晶流入口２１ａを開け、基準点から前記ピストン２２を一定距離だけ上昇させて液晶を吸入させる第１の段階（Ｓ１１）と；
前記ピストン２２を回転させて前記液晶流入口２１ａを閉じ、前記液晶流出口２１ｂを開け、前記ピストンを前記一定距離だけ下降させ、液晶を前記液晶流出口２１ｂとノズルとを介して液晶滴として吐出させる第２の段階（Ｓ１２）と；
前記吐出された液晶滴の重さを測定する第３の段階（Ｓ１３）と；
前記測定された液晶滴の重さが許容範囲内に収まっている場合は、前記一定距離を、設定された液晶滴の重さが吐出されるように、前記ピストン２２が下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストン２２が下降すべき距離として確定するまで、前記第１の段階（Ｓ１１）から第３の段階（Ｓ１３）を実行する第４の段階（Ｓ１４）と；
設定された液晶滴の重さが吐出されるように、前記ピストンが下降すべき距離として新たに確定しようとする距離の数だけ、前記ピストン２２を回転させて前記液晶流出口２１ｂを閉じ、前記液晶流入口２１ａを開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階（Ｓ１１）から第４の段階（Ｓ１４）を実行し、前記第１の段階（Ｓ１１）のシリンダー２１内に設けられたピストン２２を回転させて液晶流出口２１ｂを閉じ、液晶流入口２１ａを開けることを除き、実行する第５の段階（Ｓ１５）と、を含む。
【００８０】
以下、第１の段階（Ｓ１１）を説明する。
【００８１】
距離を確定しようとする空間は、第１の空間Ｓ１である。
【００８２】
１つの液晶滴の設定重さは、１ｍｇである。
【００８３】
１つの液晶滴の重さが１ｍｇであるので、第１の空間Ｓ１に満たされる液晶の重さは、１ｍｇになるべきである。
【００８４】
図５ａに示されるように、ピストン２２を回転させて液晶流出口２１ｂを閉じ、液晶流入口２１ａを開く。
【００８５】
ピストン２２を基準点Ｐ０から一定距離Ｌ０だけ上昇させて液晶を吸入させる。
【００８６】
ピストン２２が基準点Ｐ０から一定距離Ｌ０だけ上昇すると、ピストン孔２１ｄに吸入される液晶の重さは、理論的に１ｍｇになる。
【００８７】
以下、第２の段階（Ｓ１２）を説明する。
【００８８】
図３及び図５ｂを参照すれば、ピストン孔２１ｄに吸入された液晶を、液晶流出口２１ｂとノズル（図示せず）とを介して電子秤３０の測定板３１に液晶滴として吐出させる。
【００８９】
以下、第３の段階（Ｓ１３）を説明する。
【００９０】
電子秤３０は、吐出された液晶滴の重さを測定する。
【００９１】
電子秤３０は、液晶滴の重さについての情報を制御部に送る。
【００９２】
測定の結果、吐出された液晶滴の重さを１．６ｍｇと仮定する。
【００９３】
以下、第４の段階（Ｓ１４）を説明する。
【００９４】
許容範囲を、液晶滴の設定された重さ×（１±０．００３）と仮定する。
【００９５】
実験結果、吐出された液晶滴の重さが、液晶滴の設定された重さ×（１±０．００３）内に収まっていれば、吐出された液晶滴の重さが、設定された重さと実質的に一致すると見なせる。
【００９６】
例えば、設定された液晶滴の重さが１ｍｇである場合、許容範囲は、０．９９９７ｍｇ以上１．０００３ｍｇ以下となる。ここで、許容範囲の下限値は、０．９９９７ｍｇである。許容範囲の上限値は、１．０００３ｍｇである。
【００９７】
吐出された液晶滴の重さが許容範囲内に収まっていれば、一定距離Ｌ０は、ピストン２２を一定距離Ｌ０だけ下降させる場合、液晶滴の設定された重さ１ｍｇが吐出されるべき第１の空間Ｓ１内でピストン２２が下降すべき距離として確定される。
【００９８】
しかしながら、吐出された液晶滴の重さ１．６ｍｇは、許容範囲を外れる。
【００９９】
したがって、一定距離Ｌ０を新たな一定距離Ｌ１に変える。
【０１００】
上限値１．０００３ｍｇよりも吐出された液晶滴の重さ１．６ｍｇが更に大きいので、新たな一定距離Ｌ１は、一定距離Ｌ０を減らして求める。減らす重さは、任意に定めることができる。
【０１０１】
一定距離Ｌ０を新たな一定距離Ｌ１に変えて、第１の段階（Ｓ１１）から第３の段階（Ｓ１３）を再度実行する。
【０１０２】
図５ｃに示されるように、ピストン２２を回転させて液晶流出口２１ｂを閉じ、液晶流入口２１ａを開く。
【０１０３】
ピストン２２を基準点Ｐ０から新たな一定距離Ｌ１だけ上昇させて液晶を吸入させる。
【０１０４】
図３及び図５ｄに示されるように、ピストン２２を回転させて液晶流入口２１ａを閉じ、液晶流出口２１ｂを開く。
【０１０５】
ピストン２２を新たな一定距離Ｌ１だけ下降させ、吸入された液晶を、液晶流出口２１ｂとノズル（図示せず）とを介して電子秤３０の測定板３１に液晶滴として吐出させる。
【０１０６】
電子秤３０は、吐出された液晶滴の重さを測定する。
【０１０７】
電子秤３０は、液晶滴の重さについての情報を制御部に送る。
【０１０８】
測定の結果、吐出された液晶滴の重さは、１ｍｇと仮定する。
【０１０９】
吐出された液晶滴の重さは、許容範囲内にある。
【０１１０】
したがって、新たな一定距離Ｌ１は、ピストン２２を新たな一定距離Ｌ１だけ下降させる時、液晶滴の設定された重さ１ｍｇが吐出されるべき第１の空間Ｓ１内でピストン２２が下降すべき距離として確定される。
【０１１１】
新たな一定距離Ｌ１を持った第１の空間Ｓ１に満たされる液晶の重さは、設定された重さである１ｍｇになる。
【０１１２】
したがって、第１の段階（Ｓ１１）から第３の段階（Ｓ１３）を再度実行しない。
【０１１３】
もちろん、測定の結果、吐出された液晶滴の重さが許容範囲を再度外れることがある。すると、第１の段階（Ｓ１１）から第３の段階（Ｓ１３）を再度実行する。
【０１１４】
以後、単位パネル領域に１ｍｇの液晶滴を１つ吐出させるために、ピストン２２を新たな一定距離Ｌ１の終点Ｐ１２から開始点Ｐ１１に下降させると、第１の空間Ｓ１に満たされた１ｍｇの液晶が、液晶流出口２１ｂとノズル（図示せず）とを介して１ｍｇの液晶滴として吐出される。
【０１１５】
以下、第５の段階（Ｓ１５）を説明する。
【０１１６】
第１の空間Ｓ１内でピストン２２が下降すべき距離が確定されると、第２の空間Ｓ２、第３の空間Ｓ３、第４の空間Ｓ４の順にピストン２２が下降すべき距離が確定される。
【０１１７】
設定された液晶滴の重さが吐出されるように、前記ピストンが下降すべき距離として新たに確定しようとする距離の数が３であるので、第１の段階（Ｓ１１）から第４の段階（Ｓ１４）を３回繰り返す。
【０１１８】
以下、第２の空間Ｓ２内でピストン２２が下降すべき距離を確定する過程を説明する。
【０１１９】
設定された液晶滴の重さが吐出されるように、前記ピストンが下降すべき距離として新たに確定しようとする距離の直下の確定された距離は、Ｌ１である。
【０１２０】
設定された液晶滴の重さが吐出されるように、前記ピストンが下降すべき距離として新たに確定しようとする距離の基準点を、確定された距離Ｌ１の終点Ｐ１２とする。
【０１２１】
図６ａに示されるように、ピストン２２を回転させて液晶流出口２１ｂを閉じ、液晶流入口２１ａを開く。
【０１２２】
ピストン２２を確定された距離Ｌ１の開始点Ｐ１１から終点Ｐ１２まで上昇させ、第１の空間Ｓ１に液晶を満たす。
【０１２３】
ピストン２２を確定された距離Ｌ１の終点Ｐ１２から一定距離Ｌ０だけ上昇させて液晶を吸入させる。
【０１２４】
ピストン２２が確定された距離Ｌ１の終点Ｐ１２から一定距離Ｌ０だけ上昇すると、ピストン孔２１ｄに吸入される液晶の重さは、理論的に１ｍｇになる。
【０１２５】
図３及び図６ｂに示されるように、ピストン２２を回転させて液晶流入口２１ａを閉じ、液晶流出口２１ｂを開く。
【０１２６】
ピストン２２を一定距離Ｌ０だけ下降させ、吸入された液晶を、液晶流出口２１ｂとノズル（図示せず）とを介して電子秤３０の測定板３１に液晶滴として吐出させる。
【０１２７】
電子秤３０は、吐出された液晶滴の重さを測定する。
【０１２８】
電子秤３０は、液晶滴の重さについての情報を制御部に送る。
【０１２９】
測定の結果、吐出された液晶滴の重さが１．２ｍｇと仮定する。液晶の重さ１．２ｍｇは、許容範囲（０．９９９７ｍｇ〜１．０００３ｍｇ）を外れる。
【０１３０】
したがって、一定距離Ｌ０を新たな一定距離Ｌ２に変える。
【０１３１】
上限値１．０００３ｍｇよりも吐出された液晶滴の重さ１．２ｍｇが更に大きいので、新たな一定距離Ｌ２は、一定距離Ｌ０を減らして求める。減らす重さは、任意に定めることができる。
【０１３２】
一定距離Ｌ０を新たな一定距離Ｌ２に変えて、第１の段階（Ｓ１１）から第３の段階（Ｓ１３）を再度実行する。
【０１３３】
図６ｃに示されるように、ピストン２２を回転させて液晶流出口２１ｂを閉じ、液晶流入口２１ａを開く。
【０１３４】
ピストン２２を確定された距離Ｌ１の終点Ｐ１２から新たな一定距離Ｌ２だけ上昇させて液晶を吸入する。
【０１３５】
図３及び図６ｄに示されるように、ピストン２２を回転させて液晶流入口２１ａを閉じ、液晶流出口２１ｂを開く。
【０１３６】
ピストン２２を新たな一定距離Ｌ２だけ下降させ、吸入された液晶を、液晶流出口２１ｂとノズル（図示せず）とを介して電子秤３０の測定板３１に液晶滴として吐出させる。
【０１３７】
電子秤３０は、吐出された液晶滴の重さを測定する。
【０１３８】
電子秤３０は、液晶滴の重さについての情報を制御部に送る。
【０１３９】
測定の結果、吐出された液晶滴の重さは、１ｍｇと仮定する。
【０１４０】
吐出された液晶滴の重さは、許容範囲内にある。
【０１４１】
したがって、新たな一定距離Ｌ２は、ピストン２２を新たな一定距離Ｌ２だけ下降させる時、液晶滴の設定された重さ１ｍｇが吐出されるべき第２の空間Ｓ２内でピストン２２が下降すべき距離として確定される。
【０１４２】
新たな一定距離Ｌ２を持った第２の空間Ｓ２に満たされる液晶の重さは、設定された重さである１ｍｇになる。
【０１４３】
したがって、第１の段階（Ｓ１１）から第３の段階（Ｓ１３）を再度実行しない。
【０１４４】
もちろん、測定の結果、吐出された液晶滴の重さが許容範囲を再度外れることがある。すると、第１の段階（Ｓ１１）から第３の段階（Ｓ１３）を再度実行する。
【０１４５】
以後、単位パネル領域に１ｍｇの液晶滴を１つ吐出させるために、ピストン２２を新たな一定距離Ｌ２の終点Ｐ２２から開始点Ｐ２１に下降させると、第２の空間Ｓ２に満たされた１ｍｇの液晶が、液晶流出口２１ｂとノズル（図示せず）とを介して１ｍｇの液晶滴として吐出される。
【０１４６】
以下、第３の空間Ｓ３内でピストン２２が下降すべき距離を確定する過程を説明する。
【０１４７】
設定された液晶滴の重さが吐出されるように、前記ピストンが下降すべき距離として新たに確定しようとする距離の直下の確定された距離は、Ｌ２である。
【０１４８】
設定された液晶滴の重さが吐出されるように、前記ピストンが下降すべき距離として新たに確定しようとする距離の基準点を、確定された距離Ｌ２の終点Ｐ２２とする。
【０１４９】
図７ａに示されるように、ピストン２２を回転させて液晶流出口２１ｂを閉じ、液晶流入口２１ａを開く。
【０１５０】
ピストン２２を確定された距離Ｌ２の開始点Ｐ２１から終点Ｐ２２まで上昇させて第２の空間Ｓ２に液晶を満たす。
【０１５１】
ピストン２２を確定された距離Ｌ２の終点Ｐ２２から一定距離Ｌ０だけ上昇させて液晶を吸入させる。
【０１５２】
ピストン２２が確定された距離Ｌ２の終点Ｐ２２から一定距離Ｌ０だけ上昇すると、ピストン孔２１ｄに吸入される液晶の重さは、理論的に１ｍｇになる。
【０１５３】
図３及び図７ｂに示されるように、ピストン２２を回転させて液晶流入口２１ａを閉じ、液晶流出口２１ｂを開く。
【０１５４】
ピストン２２を一定距離Ｌ０だけ下降させ、吸入された液晶を、液晶流出口２１ｂとノズル（図示せず）とを介して電子秤３０の測定板３１に液晶滴として吐出させる。
【０１５５】
電子秤３０は、吐出された液晶滴の重さを測定する。
【０１５６】
電子秤３０は、液晶滴の重さについての情報を制御部に送る。
【０１５７】
測定の結果、吐出された液晶滴の重さが０．８ｍｇと仮定する。液晶の重さ０．８ｍｇは、許容範囲（０．９９９７ｍｇ〜１．０００３ｍｇ）を外れる。
【０１５８】
したがって、一定距離Ｌ０を新たな一定距離Ｌ３に変える。
【０１５９】
下限値０．９９９７ｍｇよりも吐出された液晶滴の重さ０．８ｍｇが更に小さいので、新たな一定距離Ｌ３は、一定距離Ｌ０を増やして求める。増やす重さは、任意に定めることができる。
【０１６０】
一定距離Ｌ０を新たな一定距離Ｌ３に変えて、第１の段階（Ｓ１１）から第３の段階（Ｓ１３）を再度実行する。
【０１６１】
図７ｃに示されるように、ピストン２２を回転させて液晶流出口２１ｂを閉じ、液晶流入口２１ａを開く。
【０１６２】
ピストン２２を確定された距離Ｌ２の終点Ｐ２２から新たな一定距離Ｌ３だけ上昇させて液晶を吸入する。
【０１６３】
図３及び図７ｄに示されるように、ピストン２２を回転させて液晶流入口２１ａを閉じ、液晶流出口２１ｂを開く。
【０１６４】
ピストン２２を新たな一定距離Ｌ３だけ下降させ、吸入された液晶を、液晶流出口２１ｂとノズル（図示せず）とを介して電子秤３０の測定板３１に液晶滴として吐出させる。
【０１６５】
電子秤３０は、吐出された液晶滴の重さを測定する。
【０１６６】
電子秤３０は、液晶滴の重さについての情報を制御部に送る。
【０１６７】
測定の結果、吐出された液晶滴の重さは、１ｍｇと仮定する。
【０１６８】
吐出された液晶滴の重さは、許容範囲内にある。
【０１６９】
したがって、新たな一定距離Ｌ３は、ピストン２２を新たな一定距離Ｌ３だけ下降させる時、液晶滴の設定された重さ１ｍｇが吐出されるべき第３の空間Ｓ３内でピストン２２が下降すべき距離として確定される。
【０１７０】
新たな一定距離Ｌ３を持った第３の空間Ｓ３に満たされる液晶の重さは、設定された重さである１ｍｇになる。
【０１７１】
したがって、第１の段階（Ｓ１１）から第３の段階（Ｓ１３）を再度実行しない。
【０１７２】
もちろん、測定の結果、吐出された液晶滴の重さが許容範囲を再度外れることがある。すると、第１の段階（Ｓ１１）から第３の段階（Ｓ１３）を再度実行する。
【０１７３】
以後、単位パネル領域に１ｍｇの液晶滴を１つ吐出させるために、ピストン２２を新たな一定距離Ｌ３の終点Ｐ３２から開始点Ｐ３１に下降させると、第３の空間Ｓ３に満たされた１ｍｇの液晶が、液晶流出口２１ｂとノズル（図示せず）とを介して１ｍｇの液晶滴として吐出される。
【０１７４】
以下、第４の空間Ｓ４内でピストン２２が下降すべき距離を確定する過程を説明する。
【０１７５】
設定された液晶滴の重さが吐出されるように、前記ピストンが下降すべき距離として新たに確定しようとする距離の直下の確定された距離は、Ｌ３である。
【０１７６】
設定された液晶滴の重さが吐出されるように、前記ピストンが下降すべき距離として新たに確定しようとする距離の基準点を、確定された距離Ｌ３の終点Ｐ３２とする。
【０１７７】
図８ａに示されるように、ピストン２２を回転させて液晶流出口２１ｂを閉じ、液晶流入口２１ａを開く。
【０１７８】
ピストン２２を確定された距離Ｌ３の開始点Ｐ３１から終点Ｐ３２まで上昇させて第３の空間Ｓ３に液晶を満たす。
【０１７９】
ピストン２２を確定された距離Ｌ３の終点Ｐ３２から一定距離Ｌ０だけ上昇させて液晶を吸入させる。
【０１８０】
ピストン２２が確定された距離Ｌ３の終点Ｐ３２から一定距離Ｌ０だけ上昇すると、ピストン孔２１ｄに吸入される液晶の重さは、理論的に１ｍｇになる。
【０１８１】
図３及び図８ｂに示されるように、ピストン２２を回転させて液晶流入口２１ａを閉じ、液晶流出口２１ｂを開く。
【０１８２】
ピストン２２を一定距離Ｌ０だけ下降させ、吸入された液晶を、液晶流出口２１ｂとノズル（図示せず）とを介して電子秤３０の測定板３１に液晶滴として吐出させる。
【０１８３】
電子秤３０は、吐出された液晶滴の重さを測定する。
【０１８４】
電子秤３０は、液晶滴の重さについての情報を制御部に送る。
【０１８５】
測定の結果、吐出された液晶滴の重さが０．４ｍｇと仮定する。液晶の重さ０．４ｍｇは、許容範囲（０．９９９７ｍｇ〜１．０００３ｍｇ）を外れる。
【０１８６】
したがって、一定距離Ｌ０を新たな一定距離Ｌ４に変える。
【０１８７】
下限値０．９９９７ｍｇよりも吐出された液晶滴の重さ０．４ｍｇが更に小さいので、新たな一定距離Ｌ４は、一定距離Ｌ０を増やして求める。増やす重さは、任意に定めることができる。
【０１８８】
一定距離Ｌ０を新たな一定距離Ｌ４に変えて、第１の段階（Ｓ１１）から第３の段階（Ｓ１３）を再度実行する。
【０１８９】
図８ｃに示されるように、ピストン２２を回転させて液晶流出口２１ｂを閉じ、液晶流入口２１ａを開く。
【０１９０】
ピストン２２を確定された距離Ｌ３の終点Ｐ３２から新たな一定距離Ｌ４だけ上昇させて液晶を吸入する。
【０１９１】
図３及び図８ｄに示されるように、ピストン２２を回転させて液晶流入口２１ａを閉じ、液晶流出口２１ｂを開く。
【０１９２】
ピストン２２を新たな一定距離Ｌ４だけ下降させ、吸入された液晶を、液晶流出口２１ｂとノズル（図示せず）とを介して電子秤３０の測定板３１に液晶滴として吐出させる。
【０１９３】
電子秤３０は、吐出された液晶滴の重さを測定する。
【０１９４】
電子秤３０は、液晶滴の重さについての情報を制御部に送る。
【０１９５】
測定の結果、吐出された液晶滴の重さは、１ｍｇと仮定する。
【０１９６】
吐出された液晶滴の重さは、許容範囲内にある。
【０１９７】
したがって、新たな一定距離Ｌ４は、ピストン２２を新たな一定距離Ｌ４だけ下降させる時、液晶滴の設定された重さ１ｍｇが吐出されるべき第４の空間Ｓ４内でピストン２２が下降すべき距離として確定される。
【０１９８】
新たな一定距離Ｌ４を持った第４の空間Ｓ４に満たされる液晶の重さは、設定された重さである１ｍｇになる。
【０１９９】
したがって、第１の段階（Ｓ１１）から第３の段階（Ｓ１３）を再度実行しない。
【０２００】
もちろん、測定の結果、吐出された液晶滴の重さが許容範囲を再度外れることがある。すると、第１の段階（Ｓ１１）から第３の段階（Ｓ１３）を再度実行する。
【０２０１】
以後、単位パネル領域に１ｍｇの液晶滴を１つ吐出させるために、ピストン２２を新たな一定距離Ｌ４の終点Ｐ４２から開始点Ｐ４１に下降させると、第４の空間Ｓ４に満たされた１ｍｇの液晶が、液晶流出口２１ｂとノズル（図示せず）とを介して１ｍｇの液晶滴として吐出される。
【０２０２】
図９は、本発明の第２の実施形態に係る液晶滴の重さの設定方法を示す順序図である。図１０（ａ）（ｂ）（ｃ）（ｄ）は、図９の液晶滴の重さの設定方法で、第１の空間に満たされた液晶を吐出させるべく、ピストンが下降すべき距離を確定するために、シリンダー内のピストンの位置を順に示す図である。図１１（ａ）（ｂ）（ｃ）（ｄ）（ｅ）は、図９の液晶滴の重さの設定方法で、第２の空間に満たされた液晶を吐出させるべく、ピストンが下降すべき距離を確定するために、シリンダー内のピストンの位置を順に示す図である。図１２（ａ）（ｂ）（ｃ）（ｄ）（ｅ）は、図９の液晶滴の重さの設定方法で、第３の空間に満たされた液晶を吐出させるべく、ピストンが下降すべき距離を確定するために、シリンダー内のピストンの位置を順に示す図である。図１３（ａ）（ｂ）（ｃ）（ｄ）は、図９の液晶滴の重さの設定方法で、第４の空間に満たされた液晶を吐出させるべく、ピストンが下降すべき距離を確定するために、シリンダー内のピストンの位置を順に示す図である。
【０２０３】
第２の実施形態では、設定された液晶滴の重さが１ｍｇである４つの液晶滴を吐出するために、１ｍｇの液晶が各々満たされる４つの空間Ｓ１、Ｓ２、Ｓ３、Ｓ４内でピストンが下降すべき距離を確定する。したがって、確定しようとする距離の数は、４である。
【０２０４】
もちろん、１つの液晶滴の重さを１ｍｇより少なく又は多く設定することもできる。
【０２０５】
もちろん、確定しようとする距離の数は、４より少なく又は多く定めることもできる。
【０２０６】
そして、第１の空間Ｓ１、第２の空間Ｓ２、第３の空間Ｓ３、第４の空間Ｓ４の順に設定された液晶滴の重さ１ｍｇが吐出されるために、ピストンが下降すべき距離が確定される。
【０２０７】
図９を参照すれば、本発明の第２の実施形態に係る液晶滴の重さの設定方法は、
シリンダー２１内に設けられたピストン２２を回転させて液晶流出口２１ｂを閉じ、液晶流入口２１ａを開け、基準点から前記ピストン２２を一定距離だけ上昇させて液晶を吸入させる第１の段階（Ｓ２１）と；
前記ピストン２２を回転させて前記液晶流入口２１ａを閉じ、前記液晶流出口２１ｂを開け、前記ピストンを前記一定距離だけ下降させ、液晶を前記液晶流出口２１ｂとノズルとを介して液晶滴として吐出させる第２の段階（Ｓ２２）と；
前記吐出された液晶滴の重さを測定する第３の段階（Ｓ２３）と；
前記測定された液晶滴の重さが許容範囲内に収まっている場合は、前記一定距離を、設定された液晶滴の重さが吐出されるように、前記ピストン２２が下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストン２２が下降すべき距離として確定するまで、前記第１の段階（Ｓ２１）から第３の段階（Ｓ２３）を実行する第４の段階（Ｓ２４）と；
設定された液晶滴の重さが吐出されるように、前記ピストンが下降すべき距離として新たに確定しようとする距離の数だけ、
確定された距離が１つあれば、前記ピストン２２を回転させて前記液晶流出口２１ｂを閉じ、前記液晶流入口２１ａを開け、前記ピストンを、前記設定された液晶滴の重さが吐出されるように、前記ピストンが下降すべき距離として新たに確定しようとする距離の直下の前記確定された距離の終点まで上昇させて液晶を吸入させるか、
確定された距離が２つ以上あれば、前記ピストン２２を最も下にある確定された距離の開始点まで下降させて液晶を吐出させた後、前記ピストン２２を回転させて前記液晶流出口２１ｂを閉じ、前記液晶流入口２１ａを開け、前記ピストンを、前記設定された液晶滴の重さが吐出されるように、前記ピストンが下降すべき距離として新たに確定しようとする距離の直下の前記確定された距離の終点まで上昇させて液晶を吸入させ、
設定された液晶滴の重さが吐出されるように、前記ピストンが下降すべき距離として新たに確定しようとする距離の基準点を直下の確定された距離の終点として、前記第１の段階（Ｓ２１）から第４の段階（Ｓ２４）を実行し、前記第１の段階（Ｓ２１）のシリンダー２１内に設けられたピストン２２を回転させて液晶流出口２１ｂを閉じ、液晶流入口２１ａを開けることを除き、実行する第５の段階（Ｓ２５）と、を含む。
【０２０８】
以下、第１の段階（Ｓ２１）を説明する。
【０２０９】
距離を確定しようとする空間は、第１の空間Ｓ１である。
【０２１０】
１つの液晶滴の設定重さは、１ｍｇである。
【０２１１】
１つの液晶滴の重さが１ｍｇであるので、第１の空間Ｓ１に満たされる液晶の重さは、１ｍｇになるべきである。
【０２１２】
図１０ａに示されるように、ピストン２２を回転させて液晶流出口２１ｂを閉じ、液晶流入口２１ａを開く。
【０２１３】
ピストン２２を基準点Ｐ０から一定距離Ｌ０だけ上昇させて液晶を吸入させる。
【０２１４】
ピストン２２が基準点Ｐ０から一定距離Ｌ０だけ上昇すると、ピストン孔２１ｄに吸入される液晶の重さは、理論的に１ｍｇになる。
【０２１５】
以下、第２の段階（Ｓ２２）を説明する。
【０２１６】
図３及び図１０ｂを参照すれば、ピストン孔２１ｄに吸入された液晶を、液晶流出口２１ｂとノズル（図示せず）とを介して電子秤３０の測定板３１に液晶滴として吐出させる。
【０２１７】
以下、第３の段階（Ｓ２３）を説明する。
【０２１８】
電子秤３０は、吐出された液晶滴の重さを測定する。
【０２１９】
電子秤３０は、液晶滴の重さについての情報を制御部に送る。
【０２２０】
測定の結果、吐出された液晶滴の重さを１．６ｍｇと仮定する。
【０２２１】
以下、第４の段階（Ｓ２４）を説明する。
【０２２２】
許容範囲を液晶滴の設定された重さ×（１±０．００３）と仮定する。
【０２２３】
実験結果、吐出された液晶滴の重さが液晶滴の設定された重さ×（１±０．００３）内に収まっていれば、吐出された液晶滴の重さが、設定された重さと実質的に一致すると見なせる。
【０２２４】
例えば、設定された液晶滴の重さが１ｍｇである場合、許容範囲は、０．９９９７ｍｇ以上１．０００３ｍｇ以下となる。ここで、許容範囲の下限値は、０．９９９７ｍｇである。許容範囲の上限値は、１．０００３ｍｇである。
【０２２５】
吐出された液晶滴の重さが許容範囲内に収まっていれば、一定距離Ｌ０は、ピストン２２を一定距離Ｌ０だけ下降させる時、液晶滴の設定された重さ１ｍｇが吐出されるべき第１の空間Ｓ１内でピストン２２が下降すべき距離として確定される。
【０２２６】
しかしながら、吐出された液晶滴の重さ１．６ｍｇは、許容範囲を外れる。
【０２２７】
したがって、一定距離Ｌ０を新たな一定距離Ｌ１に変える。
【０２２８】
上限値１．０００３ｍｇよりも吐出された液晶滴の重さ１．６ｍｇが更に大きいので、新たな一定距離Ｌ１は、一定距離Ｌ０を減らして求める。減らす重さは、任意に定めることができる。
【０２２９】
一定距離Ｌ０を新たな一定距離Ｌ１に変えて、第１の段階（Ｓ２１）から第３の段階（Ｓ２３）を再度実行する。
【０２３０】
図１０ｃに示されるように、ピストン２２を回転させて液晶流出口２１ｂを閉じ、液晶流入口２１ａを開く。
【０２３１】
ピストン２２を基準点Ｐ０から新たな一定距離Ｌ１だけ上昇させて液晶を吸入させる。
【０２３２】
図３及び図１０ｄに示されるように、ピストン２２を回転させて液晶流入口２１ａを閉じ、液晶流出口２１ｂを開く。
【０２３３】
ピストン２２を新たな一定距離Ｌ１だけ下降させ、吸入された液晶を、液晶流出口２１ｂとノズル（図示せず）とを介して電子秤３０の測定板３１に液晶滴として吐出させる。
【０２３４】
電子秤３０は、吐出された液晶滴の重さを測定する。
【０２３５】
電子秤３０は、液晶滴の重さについての情報を制御部に送る。
【０２３６】
測定の結果、吐出された液晶滴の重さは、１ｍｇと仮定する。
【０２３７】
吐出された液晶滴の重さは、許容範囲内にある。
【０２３８】
したがって、新たな一定距離Ｌ１は、ピストン２２を新たな一定距離Ｌ１だけ下降させる時、液晶滴の設定された重さ１ｍｇが吐出されるべき第１の空間Ｓ１内でピストン２２が下降すべき距離として確定される。
【０２３９】
新たな一定距離Ｌ１を持った第１の空間Ｓ１に満たされる液晶の重さは、設定された重さである１ｍｇになる。
【０２４０】
したがって、第１の段階（Ｓ２１）から第３の段階（Ｓ２３）を再度実行しない。
【０２４１】
もちろん、測定の結果、吐出された液晶滴の重さが許容範囲を再度外れることがある。すると、第１の段階（Ｓ２１）から第３の段階（Ｓ２３）を再度実行する。
【０２４２】
以後、単位パネル領域に１ｍｇの液晶滴を１つ吐出させるために、ピストン２２を新たな一定距離Ｌ１の終点Ｐ１２から開始点Ｐ１１に下降させると、第１の空間Ｓ１に満たされた１ｍｇの液晶が、液晶流出口２１ｂとノズル（図示せず）とを介して１ｍｇの液晶滴として吐出される。
【０２４３】
以下、第５の段階（Ｓ２５）を説明する。
【０２４４】
第１の空間Ｓ１内でピストン２２が下降すべき距離が確定されると、第２の空間Ｓ２、第３の空間Ｓ３、第４の空間Ｓ４の順にピストン２２が下降すべき距離が確定される。
【０２４５】
設定された液晶滴の重さが吐出されるように、前記ピストンが下降すべき距離として新たに確定しようとする距離の数が３であるので、第１の段階（Ｓ２１）から第４の段階（Ｓ２４）を３回繰り返す。
【０２４６】
以下、第２の空間Ｓ２内でピストン２２が下降すべき距離を確定する過程を説明する。
【０２４７】
設定された液晶滴の重さが吐出されるように、前記ピストンが下降すべき距離として新たに確定しようとする距離の直下の確定された距離は、Ｌ１である。
【０２４８】
設定された液晶滴の重さが吐出されるように、前記ピストンが下降すべき距離として新たに確定しようとする距離の基準点を、確定された距離Ｌ１の終点Ｐ１２とする。
【０２４９】
確定された距離としては、第１の空間Ｓ１の確定された距離Ｌ１の１つがある。
【０２５０】
図１１ａに示されるように、ピストン２２を回転させて液晶流出口２１ｂを閉じ、液晶流入口２１ａを開く。
【０２５１】
ピストン２２を確定された距離Ｌ１の開始点Ｐ１１から終点Ｐ１２まで上昇させ、第１の空間Ｓ１に液晶を満たす。
【０２５２】
ピストン２２を確定された距離Ｌ１の終点Ｐ１２から一定距離Ｌ０だけ上昇させて液晶を吸入させる。
【０２５３】
ピストン２２が確定された距離Ｌ１の終点Ｐ１２から一定距離Ｌ０だけ上昇すると、ピストン孔２１ｄに吸入される液晶の重さは、理論的に１ｍｇになる。
【０２５４】
図３及び図１１ｂに示されるように、ピストン２２を回転させて液晶流入口２１ａを閉じ、液晶流出口２１ｂを開く。
【０２５５】
ピストン２２を一定距離Ｌ０だけ下降させ、吸入された液晶を、液晶流出口２１ｂとノズル（図示せず）とを介して電子秤３０の測定板３１に液晶滴として吐出させる。
【０２５６】
電子秤３０は、吐出された液晶滴の重さを測定する。
【０２５７】
電子秤３０は、液晶滴の重さについての情報を制御部に送る。
【０２５８】
測定の結果、吐出された液晶滴の重さが１．２ｍｇと仮定する。液晶の重さ１．２ｍｇは、許容範囲（０．９９９７ｍｇ〜１．０００３ｍｇ）を外れる。
【０２５９】
したがって、一定距離Ｌ０を新たな一定距離Ｌ２に変える。
【０２６０】
上限値１．０００３ｍｇよりも吐出された液晶滴の重さ１．２ｍｇが更に大きいので、新たな一定距離Ｌ２は、一定距離Ｌ０を減らして求める。減らす重さは、任意に定めることができる。
【０２６１】
一定距離Ｌ０を新たな一定距離Ｌ２に変えて、第１の段階（Ｓ２１）から第３の段階（Ｓ２３）を再度実行する。
【０２６２】
図１１ｃに示されるように、ピストン２２を回転させて液晶流出口２１ｂを閉じ、液晶流入口２１ａを開く。
【０２６３】
ピストン２２を確定された距離Ｌ１の終点Ｐ１２から新たな一定距離Ｌ２だけ上昇させて液晶を吸入する。
【０２６４】
図３及び図１１ｄに示されるように、ピストン２２を回転させて液晶流入口２１ａを閉じ、液晶流出口２１ｂを開く。
【０２６５】
ピストン２２を新たな一定距離Ｌ２だけ下降させ、吸入された液晶を、液晶流出口２１ｂとノズル（図示せず）とを介して電子秤３０の測定板３１に液晶滴として吐出させる。
【０２６６】
電子秤３０は、吐出された液晶滴の重さを測定する。
【０２６７】
電子秤３０は、液晶滴の重さについての情報を制御部に送る。
【０２６８】
測定の結果、吐出された液晶滴の重さは、１ｍｇと仮定する。
【０２６９】
吐出された液晶滴の重さは、許容範囲内にある。
【０２７０】
したがって、新たな一定距離Ｌ２は、ピストン２２を新たな一定距離Ｌ２だけ下降させる時、液晶滴の設定された重さ１ｍｇが吐出されるべき第２の空間Ｓ２内でピストン２２が下降すべき距離として確定される。
【０２７１】
新たな一定距離Ｌ２を持った第２の空間Ｓ２に満たされる液晶の重さは、設定された重さである１ｍｇになる。
【０２７２】
したがって、第１の段階（Ｓ２１）から第３の段階（Ｓ２３）を再度実行しない。
【０２７３】
もちろん、測定の結果、吐出された液晶滴の重さが許容範囲を再度外れることがある。すると、第１の段階（Ｓ２１）から第３の段階（Ｓ２３）を再度実行する。
【０２７４】
以後、単位パネル領域に１ｍｇの液晶滴を１つ吐出させるために、ピストン２２を新たな一定距離Ｌ２の終点Ｐ２２から開始点Ｐ２１に下降させると、第２の空間Ｓ２に満たされた１ｍｇの液晶が、液晶流出口２１ｂとノズル（図示せず）とを介して１ｍｇの液晶滴として吐出される。
【０２７５】
以下、第３の空間Ｓ３内でピストン２２が下降すべき距離を確定する過程を説明する。
【０２７６】
設定された液晶滴の重さが吐出されるように、前記ピストンが下降すべき距離として新たに確定しようとする距離の直下の確定された距離は、Ｌ２である。
【０２７７】
設定された液晶滴の重さが吐出されるように、前記ピストンが下降すべき距離として新たに確定しようとする距離の基準点を、確定された距離Ｌ２の終点Ｐ２２とする。
【０２７８】
確定された距離としては、第１の空間Ｓ１の確定された距離Ｌ１と第２の空間Ｓ２の確定された距離Ｌ２の２つがある。
【０２７９】
第１の空間Ｓ１の確定された距離Ｌ１と第２の空間Ｓ２の確定された距離Ｌ２のうち、最も下にある確定された距離の開始点は、確定された距離Ｌ１の開始点Ｐ１１である。
【０２８０】
図１１ｅに示されるように、ピストン２２を確定された距離Ｌ１の開始点Ｐ１１まで下降させて液晶を吐出する。
【０２８１】
図１２ａに示されるように、ピストン２２を回転させて液晶流出口２１ｂを閉じ、液晶流入口２１ａを開ける。
【０２８２】
ピストン２２を確定された距離Ｌ１の開始点Ｐ１１から確定された距離Ｌ２の終点Ｐ２２まで上昇させ、第１の空間Ｓ１及び第２の空間Ｓ２に液晶を満たす。
【０２８３】
ピストン２２を確定された距離Ｌ２の終点Ｐ２２から一定距離Ｌ０だけ上昇させて液晶を吸入させる。
【０２８４】
ピストン２２が確定された距離Ｌ２の終点Ｐ２２から一定距離Ｌ０だけ上昇すると、ピストン孔２１ｄに吸入される液晶の重さは、理論的に１ｍｇになる。
【０２８５】
図３及び図１２ｂに示されるように、ピストン２２を回転させて液晶流入口２１ａを閉じ、液晶流出口２１ｂを開く。
【０２８６】
ピストン２２を一定距離Ｌ０だけ下降させ、吸入された液晶を、液晶流出口２１ｂとノズル（図示せず）とを介して電子秤３０の測定板３１に液晶滴として吐出させる。
【０２８７】
電子秤３０は、吐出された液晶滴の重さを測定する。
【０２８８】
電子秤３０は、液晶滴の重さについての情報を制御部に送る。
【０２８９】
測定の結果、吐出された液晶滴の重さが０．８ｍｇと仮定する。液晶の重さ０．８ｍｇは、許容範囲（０．９９９７ｍｇ〜１．０００３ｍｇ）を外れる。
【０２９０】
したがって、一定距離Ｌ０を新たな一定距離Ｌ３に変える。
【０２９１】
下限値０．９９９７ｍｇよりも吐出された液晶滴の重さ０．８ｍｇが更に小さいので、新たな一定距離Ｌ３は、一定距離Ｌ０を増やして求める。増やす重さは、任意に定めることができる。
【０２９２】
一定距離Ｌ０を新たな一定距離Ｌ３に変えて、第１の段階（Ｓ２１）から第３の段階（Ｓ２３）を再度実行する。
【０２９３】
図１２ｃに示されるように、ピストン２２を回転させて液晶流出口２１ｂを閉じ、液晶流入口２１ａを開く。
【０２９４】
ピストン２２を確定された距離Ｌ２の終点Ｐ２２から新たな一定距離Ｌ３だけ上昇させて液晶を吸入する。
【０２９５】
図３及び図１２ｄに示されるように、ピストン２２を回転させて液晶流入口２１ａを閉じ、液晶流出口２１ｂを開く。
【０２９６】
ピストン２２を新たな一定距離Ｌ３だけ下降させ、吸入された液晶を、液晶流出口２１ｂとノズル（図示せず）とを介して電子秤３０の測定板３１に液晶滴として吐出させる。
【０２９７】
電子秤３０は、吐出された液晶滴の重さを測定する。
【０２９８】
電子秤３０は、液晶滴の重さについての情報を制御部に送る。
【０２９９】
測定の結果、吐出された液晶滴の重さは、１ｍｇと仮定する。
【０３００】
吐出された液晶滴の重さは、許容範囲内にある。
【０３０１】
したがって、新たな一定距離Ｌ３は、ピストン２２を新たな一定距離Ｌ３だけ下降させる時、液晶滴の設定された重さ１ｍｇが吐出されるべき第３の空間Ｓ３内でピストン２２が下降すべき距離として確定される。
【０３０２】
新たな一定距離Ｌ３を持った第３の空間Ｓ３に満たされる液晶の重さは、設定された重さである１ｍｇになる。
【０３０３】
したがって、第１の段階（Ｓ２１）から第３の段階（Ｓ２３）を再度実行しない。
【０３０４】
もちろん、測定の結果、吐出された液晶滴の重さが許容範囲を再度外れることがある。すると、第１の段階（Ｓ２１）から第３の段階（Ｓ２３）を再度実行する。
【０３０５】
以後、単位パネル領域に１ｍｇの液晶滴を１つ吐出させるために、ピストン２２を新たな一定距離Ｌ３の終点Ｐ３２から開始点Ｐ３１に下降させると、第３の空間Ｓ３に満たされた１ｍｇの液晶が、液晶流出口２１ｂとノズル（図示せず）とを介して１ｍｇの液晶滴として吐出される。
【０３０６】
以下、第４の空間Ｓ４内でピストン２２が下降すべき距離を確定する過程を説明する。
【０３０７】
設定された液晶滴の重さが吐出されるように、前記ピストンが下降すべき距離として新たに確定しようとする距離の直下の確定された距離は、Ｌ３である。
【０３０８】
設定された液晶滴の重さが吐出されるように、前記ピストンが下降すべき距離として新たに確定しようとする距離の基準点を、確定された距離Ｌ３の終点Ｐ３２とする。
【０３０９】
確定された距離としては、第１の空間Ｓ１の確定された距離Ｌ１と第２の空間Ｓ２の確定された距離Ｌ２と第３の空間Ｓ３の確定された距離Ｌ３の３つがある。
【０３１０】
第１の空間Ｓ１の確定された距離Ｌ１と第２の空間Ｓ２の確定された距離Ｌ２と第３の空間Ｓ３の確定された距離Ｌ３のうち、最も下にある確定された距離の開始点は、確定された距離Ｌ１の開始点Ｐ１１である。
【０３１１】
図１２ｅに示されるように、ピストン２２を確定された距離Ｌ１の開始点Ｐ１１まで下降させて液晶を吐出する。
【０３１２】
図１３ａに示されるように、ピストン２２を回転させて液晶流出口２１ｂを閉じ、液晶流入口２１ａを開ける。
【０３１３】
ピストン２２を確定された距離Ｌ１の開始点Ｐ１１から確定された距離Ｌ３の終点Ｐ３２まで上昇させ、第１の空間Ｓ１、第２の空間Ｓ２、第３の空間Ｓ３に液晶を満たす。
【０３１４】
ピストン２２を確定された距離Ｌ３の終点Ｐ３２から一定距離Ｌ０だけ上昇させて液晶を吸入させる。
【０３１５】
ピストン２２が確定された距離Ｌ３の終点Ｐ３２から一定距離Ｌ０だけ上昇すると、ピストン孔２１ｄに吸入される液晶の重さは、理論的に１ｍｇになる。
【０３１６】
図３及び図１３ｂに示されるように、ピストン２２を回転させて液晶流入口２１ａを閉じ、液晶流出口２１ｂを開く。
【０３１７】
ピストン２２を一定距離Ｌ０だけ下降させ、吸入された液晶を、液晶流出口２１ｂとノズル（図示せず）とを介して電子秤３０の測定板３１に液晶滴として吐出させる。
【０３１８】
電子秤３０は、吐出された液晶滴の重さを測定する。
【０３１９】
電子秤３０は、液晶滴の重さについての情報を制御部に送る。
【０３２０】
測定の結果、吐出された液晶滴の重さが０．４ｍｇと仮定する。液晶の重さ０．４ｍｇは、許容範囲（０．９９９７ｍｇ〜１．０００３ｍｇ）を外れる。
【０３２１】
したがって、一定距離Ｌ０を新たな一定距離Ｌ４に変える。
【０３２２】
下限値０．９９９７ｍｇよりも吐出された液晶滴の重さ０．４ｍｇが更に小さいので、新たな一定距離Ｌ４は、一定距離Ｌ０を増やして求める。増やす重さは、任意に定めることができる。
【０３２３】
一定距離Ｌ０を新たな一定距離Ｌ４に変えて、第１の段階（Ｓ２１）から第３の段階（Ｓ２３）を再度実行する。
【０３２４】
図１３ｃに示されるように、ピストン２２を回転させて液晶流出口２１ｂを閉じ、液晶流入口２１ａを開く。
【０３２５】
ピストン２２を確定された距離Ｌ３の終点Ｐ３２から新たな一定距離Ｌ４だけ上昇させて液晶を吸入する。
【０３２６】
図３及び図１３ｄに示されるように、ピストン２２を回転させて液晶流入口２１ａを閉じ、液晶流出口２１ｂを開く。
【０３２７】
ピストン２２を新たな一定距離Ｌ４だけ下降させ、吸入された液晶を、液晶流出口２１ｂとノズル（図示せず）とを介して電子秤３０の測定板３１に液晶滴として吐出させる。
【０３２８】
電子秤３０は、吐出された液晶滴の重さを測定する。
【０３２９】
電子秤３０は、液晶滴の重さについての情報を制御部に送る。
【０３３０】
測定の結果、吐出された液晶滴の重さは、１ｍｇと仮定する。
【０３３１】
吐出された液晶滴の重さは、許容範囲内にある。
【０３３２】
したがって、新たな一定距離Ｌ４は、ピストン２２を新たな一定距離Ｌ４だけ下降させる時、液晶滴の設定された重さ１ｍｇが吐出されるべき第４の空間Ｓ４内でピストン２２が下降すべき距離として確定される。
【０３３３】
新たな一定距離Ｌ４を持った第４の空間Ｓ４に満たされる液晶の重さは、設定された重さである１ｍｇになる。
【０３３４】
したがって、第１の段階（Ｓ２１）から第３の段階（Ｓ２３）を再度実行しない。
【０３３５】
もちろん、測定の結果、吐出された液晶滴の重さが許容範囲を再度外れることがある。すると、第１の段階（Ｓ２１）から第３の段階（Ｓ２３）を再度実行する。
【０３３６】
以後、単位パネル領域に１ｍｇの液晶滴を１つ吐出させるために、ピストン２２を新たな一定距離Ｌ４の終点Ｐ４２から開始点Ｐ４１に下降させると、第４の空間Ｓ４に満たされた１ｍｇの液晶が、液晶流出口２１ｂとノズル（図示せず）とを介して１ｍｇの液晶滴として吐出される。
【０３３７】
図１４は、本発明の第３の実施形態に係る液晶滴の重さの設定方法を示す順序図である。図１５（ａ）（ｂ）（ｃ）（ｄ）は、図１４の液晶滴の重さの設定方法で、第１の空間に満たされた液晶を吐出させるべく、ピストンが下降すべき距離を確定するために、シリンダー内のピストンの位置を順に示す図である。図１６（ａ）（ｂ）（ｃ）（ｄ）は、図１４の液晶滴の重さの設定方法で、第２の空間に満たされた液晶を吐出させるべく、ピストンが下降すべき距離を確定するために、シリンダー内のピストンの位置を順に示す図である。図１７（ａ）（ｂ）（ｃ）（ｄ）は、図１４の液晶滴の重さの設定方法で、第３の空間に満たされた液晶を吐出させるべく、ピストンが下降すべき距離を確定するために、シリンダー内のピストンの位置を順に示す図である。図１８（ａ）（ｂ）（ｃ）（ｄ）は、図１４の液晶滴の重さの設定方法で、第４の空間に満たされた液晶を吐出させるべく、ピストンが下降すべき距離を確定するために、シリンダー内のピストンの位置を順に示す図である。
【０３３８】
第３の実施形態では、設定された液晶滴の重さが１ｍｇである液晶滴を４つ吐出するために、１ｍｇの液晶が各々満たされる４つの空間Ｓ１、Ｓ２、Ｓ３、Ｓ４内でピストンが下降すべき距離を確定する。したがって、確定しようとする距離の数は、４である。
【０３３９】
もちろん、１つの液晶滴の重さを１ｍｇより少なく又は多く設定することもできる。
【０３４０】
もちろん、確定しようとする距離の数は、４より少なく又は多く定めることもできる。
【０３４１】
そして、第１の空間Ｓ１、第２の空間Ｓ２、第３の空間Ｓ３、第４の空間Ｓ４の順に設定された液晶滴の重さ１ｍｇが吐出されるために、ピストンが下降すべき距離が確定される。
【０３４２】
図１４を参照すれば、本発明の第３の実施形態に係る液晶滴の重さの設定方法は、シリンダー２１内に設けられたピストン２２を回転させて液晶流出口２１ｂを閉じ、液晶流入口２１ａを開け、基準点から前記ピストン２２を一定距離だけ上昇させて液晶を吸入させる第１の段階（Ｓ３１）と；
前記ピストン２２を回転させて前記液晶流入口２１ａを閉じ、前記液晶流出口２１ｂを開け、
確定された距離がなければ、前記ピストンを前記一定距離だけ下降させ、液晶を前記液晶流出口とノズルとを介して１つの液晶滴として吐出させ、
確定された距離が１つあれば、前記ピストンを前記確定された距離に前記一定距離を足した距離だけ下降させ、液晶を前記液晶流出口とノズルとを介して２つの液晶滴として吐出させ、
確定された距離が複数個あれば、前記ピストンを前記複数個の確定された距離に前記一定距離を足した距離だけ下降させ、液晶を前記液晶流出口とノズルとを介して複数個の液晶滴として吐出させる第２の段階（Ｓ３２）と；
確定された距離がなければ、１つの液晶滴の重さを測定し、確定された距離が１つあれば、２つの液晶滴の重さを測定し、確定された距離が複数個あれば、複数個の液晶滴の重さを測定する第３の段階（Ｓ３３）と；
確定された距離がなければ、
前記吐出された１つの液晶滴の重さが、前記許容範囲内に収まっている場合は、前記一定距離を、設定された液晶滴の重さが吐出されるように、前記ピストン２２が下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストン２２が下降すべき距離として確定するまで、前記ピストン２２を回転させて前記液晶流出口２１ｂを閉じ、前記液晶流入口２１ａを開けながら、前記第１の段階（Ｓ３１）から第３の段階（Ｓ３３）を実行し、
前記第１の段階（Ｓ３１）のシリンダー２１内に設けられたピストン２２を回転させて液晶流出口２１ｂを閉じ、液晶流入口２１ａを開けることを除き、実行し、
確定された距離が１つあれば、
前記吐出された２つの液晶滴の重さから、前記ピストンが前記確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストンが下降すべき距離として確定するまで、前記ピストン２２を回転させて前記液晶流出口２１ｂを閉じ、前記液晶流入口２１ａを開け、前記ピストンを前記確定された距離だけ上昇させながら、前記第１の段階（Ｓ３１）から第３の段階（Ｓ３３）を実行し、
前記第１の段階（Ｓ３１）のシリンダー２１内に設けられたピストン２２を回転させて液晶流出口２１ｂを閉じ、液晶流入口２１ａを開けることを除き、実行し、
確定された距離が複数個あれば、
前記吐出された複数個の液晶滴の重さから、前記ピストンが前記複数個の確定された距離だけ下降する際に吐出された液晶滴の重さを引いた重さが、許容範囲内に収まっている場合は、前記一定距離を、設定された液晶滴の重さが吐出されるように、前記ピストンが下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストン２２が下降すべき距離として確定するまで、前記ピストン２２を回転させて前記液晶流出口２１ｂを閉じ、前記液晶流入口２１ａを開け、前記ピストンを前記確定された距離だけ上昇させながら、前記第１の段階（Ｓ３１）から第３の段階（Ｓ３３）を実行し、
前記第１の段階（Ｓ３１）のシリンダー２１内に設けられたピストン２２を回転させて液晶流出口２１ｂを閉じ、液晶流入口２１ａを開けることを除き、実行する第４の段階（Ｓ３４）と；
設定された液晶滴の重さが吐出されるように、前記ピストンが下降すべき距離として新たに確定しようとする距離の数だけ、前記ピストン２２を回転させて前記液晶流出口２１ｂを閉じ、前記液晶流入口２１ａを開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階（Ｓ３１）から第４の段階（Ｓ３４）を実行し、前記第１の段階（Ｓ３１）のシリンダー２１内に設けられたピストン２２を回転させて液晶流出口２１ｂを閉じ、液晶流入口２１ａを開けることを除き、実行する第５の段階（Ｓ３５）と、を含む。
【０３４３】
以下、第１の段階（Ｓ３１）を説明する。
【０３４４】
距離を確定しようとする空間は、第１の空間Ｓ１である。
【０３４５】
１つの液晶滴の設定重さは、１ｍｇである。
【０３４６】
１つの液晶滴の重さが１ｍｇであるので、第１の空間Ｓ１に満たされる液晶の重さは、１ｍｇになるべきである。
【０３４７】
図１５ａに示されるように、ピストン２２を回転させて液晶流出口２１ｂを閉じ、液晶流入口２１ａを開く。
【０３４８】
ピストン２２を基準点Ｐ０から一定距離Ｌ０だけ上昇させて液晶を吸入させる。
【０３４９】
ピストン２２が基準点Ｐ０から一定距離Ｌ０だけ上昇すると、ピストン孔２１ｄに吸入される液晶の重さは、理論的に１ｍｇになる。
【０３５０】
以下、第２の段階（Ｓ３２）を説明する。
【０３５１】
確定された距離がないので、ピストン２２を一定距離Ｌ０だけ下降させる。
【０３５２】
図３及び図１５ｂを参照すれば、ピストン孔２１ｄに吸入された液晶を、液晶流出口２１ｂとノズル（図示せず）とを介して電子秤３０の測定板３１に液晶滴として吐出させる。
【０３５３】
以下、第３の段階（Ｓ３３）を説明する。
【０３５４】
確定された距離がないので、電子秤３０は、吐出された１つの液晶滴の重さについての情報を制御部に送る。
【０３５５】
測定の結果、吐出された１つの液晶滴の重さを１．６ｍｇと仮定する。
【０３５６】
以下、第４の段階（Ｓ３４）を説明する。
【０３５７】
許容範囲を液晶滴の設定された重さ×（１±０．００３）と仮定する。
【０３５８】
実験結果、吐出された液晶滴の重さが液晶滴の設定された重さ×（１±０．００３）内に収まっていれば、吐出された液晶滴の重さが設定された重さと実質的に一致すると見なせる。
【０３５９】
例えば、設定された液晶滴の重さが１ｍｇである場合、許容範囲は、０．９９９７ｍｇ以上１．０００３ｍｇ以下となる。ここで、許容範囲の下限値は、０．９９９７ｍｇである。許容範囲の上限値は、１．０００３ｍｇである。
【０３６０】
吐出された液晶滴の重さが許容範囲内に収まっていれば、一定距離Ｌ０は、ピストン２２を一定距離Ｌ０だけ下降させる時、液晶滴の設定された重さ１ｍｇが吐出されるべき第１の空間Ｓ１内でピストン２２が下降すべき距離として確定される。
【０３６１】
しかしながら、吐出された液晶滴の重さ１．６ｍｇは、許容範囲を外れる。
【０３６２】
したがって、一定距離Ｌ０を新たな一定距離Ｌ１に変える。
【０３６３】
上限値１．０００３ｍｇよりも吐出された液晶滴の重さ１．６ｍｇが更に大きいので、新たな一定距離Ｌ１は、一定距離Ｌ０を減らして求める。減らす重さは、任意に定めることができる。
【０３６４】
一定距離Ｌ０を新たな一定距離Ｌ１に変えて、第１の段階（Ｓ３１）から第３の段階（Ｓ３３）を再度実行する。
【０３６５】
図１５ｃに示されるように、ピストン２２を回転させて液晶流出口２１ｂを閉じ、液晶流入口２１ａを開く。
【０３６６】
確定された距離がないので、ピストン２２を基準点Ｐ０から新たな一定距離Ｌ１だけ上昇させて液晶を吸入させる。
【０３６７】
図３及び図１５ｄに示されるように、ピストン２２を回転させて液晶流入口２１ａを閉じ、液晶流出口２１ｂを開く。
【０３６８】
確定された距離がないので、ピストン２２を新たな一定距離Ｌ１だけ下降させ、吸入された液晶を、液晶流出口２１ｂとノズル（図示せず）とを介して電子秤３０の測定板３１に液晶滴として吐出させる。
【０３６９】
確定された距離がないので、電子秤３０は、吐出された１つの液晶滴の重さを測定する。
【０３７０】
電子秤３０は、１つの液晶滴の重さについての情報を制御部に送る。
【０３７１】
測定の結果、吐出された１つの液晶滴の重さは、１ｍｇと仮定する。
【０３７２】
吐出された１つの液晶滴の重さは、許容範囲内にある。
【０３７３】
したがって、新たな一定距離Ｌ１は、ピストン２２を新たな一定距離Ｌ１だけ下降させる時、液晶滴の設定された重さ１ｍｇが吐出されるべき第１の空間Ｓ１内でピストン２２が下降すべき距離として確定される。
【０３７４】
新たな一定距離Ｌ１を持った第１の空間Ｓ１に満たされる液晶の重さは、設定された重さである１ｍｇになる。
【０３７５】
したがって、第１の段階（Ｓ３１）から第３の段階（Ｓ３３）を再度実行しない。
【０３７６】
もちろん、測定の結果、吐出された液晶滴の重さが許容範囲を再度外れることがある。すると、第１の段階（Ｓ３１）から第３の段階（Ｓ３３）を再度実行する。
【０３７７】
以後、単位パネル領域に１ｍｇの液晶滴を１つ吐出させるために、ピストン２２を新たな一定距離Ｌ１の終点Ｐ１２から開始点Ｐ１１に下降させると、第１の空間Ｓ１に満たされた１ｍｇの液晶が、液晶流出口２１ｂとノズル（図示せず）とを介して１ｍｇの液晶滴として吐出される。
【０３７８】
以下、第５の段階（Ｓ３５）を説明する。
【０３７９】
第１の空間Ｓ１内でピストン２２が下降すべき距離が確定されると、第２の空間Ｓ２、第３の空間Ｓ３、第４の空間Ｓ４の順にピストン２２が下降すべき距離が確定される。
【０３８０】
設定された液晶滴の重さが吐出されるように、前記ピストンが下降すべき距離として新たに確定しようとする距離の数が３であるので、第１の段階（Ｓ３１）から第４の段階（Ｓ３４）を３回繰り返す。
【０３８１】
以下、第２の空間Ｓ２内でピストン２２が下降すべき距離を確定する過程を説明する。
【０３８２】
設定された液晶滴の重さが吐出されるように、前記ピストンが下降すべき距離として新たに確定しようとする距離の直下の確定された距離は、Ｌ１である。
【０３８３】
設定された液晶滴の重さが吐出されるように、前記ピストンが下降すべき距離として新たに確定しようとする距離の基準点を、確定された距離Ｌ１の終点Ｐ１２とする。
【０３８４】
図１６ａに示されるように、ピストン２２を回転させて液晶流出口２１ｂを閉じ、液晶流入口２１ａを開く。
【０３８５】
ピストン２２を確定された距離Ｌ１の開始点Ｐ１１から終点Ｐ１２まで上昇させ、第１の空間Ｓ１に液晶を満たす。
【０３８６】
ピストン２２を確定された距離Ｌ１の終点Ｐ１２から一定距離Ｌ０だけ上昇させて液晶を吸入させる。
【０３８７】
ピストン２２が確定された距離Ｌ１の終点Ｐ１２から一定距離Ｌ０だけ上昇すると、ピストン孔２１ｄに吸入される液晶の重さは、理論的に１ｍｇになる。
【０３８８】
図３及び図１６ｂに示されるように、ピストン２２を回転させて液晶流入口２１ａを閉じ、液晶流出口２１ｂを開く。
【０３８９】
確定された距離Ｌ１があるので、ピストン２２を確定された距離Ｌ１に一定距離Ｌ０を足した距離だけ下降させ、吸入された液晶を、液晶流出口２１ｂとノズル（図示せず）とを介して電子秤３０の測定板３１に２つの液晶滴として吐出させる。
【０３９０】
電子秤３０は、２つの液晶滴の重さについての情報を制御部に送る。
【０３９１】
測定の結果、吐出された２つの液晶滴の重さが２．２ｍｇと仮定する。
【０３９２】
確定された距離Ｌ１があるので、吐出された２つの液晶滴の重さ２．２ｍｇから、確定された距離Ｌ１をピストン２２が下降する際に吐出された液晶滴の重さ１ｍｇを引いた重さを求める。
【０３９３】
求められた液晶の重さは、１．２ｍｇになる。
【０３９４】
液晶の重さ１．２ｍｇは、許容範囲（０．９９９７ｍｇ〜１．０００３ｍｇ）を外れる。
【０３９５】
したがって、一定距離Ｌ０を新たな一定距離Ｌ２に変える。
【０３９６】
上限値１．０００３ｍｇよりも吐出された液晶滴の重さ１．２ｍｇが更に大きいので、新たな一定距離Ｌ２は、一定距離Ｌ０を減らして求める。減らす重さは、任意に定めることができる。
【０３９７】
一定距離Ｌ０を新たな一定距離Ｌ２に変えて、第１の段階（Ｓ３１）から第３の段階（Ｓ３３）を再度実行する。
【０３９８】
図１６ｃに示されるように、ピストン２２を回転させて液晶流出口２１ｂを閉じ、液晶流入口２１ａを開く。
【０３９９】
確定された距離Ｌ１があるので、ピストン２２を確定された距離Ｌ１だけ上昇させて液晶を吸入させる。
【０４００】
ピストン２２を確定された距離Ｌ１の終点Ｐ１２から新たな一定距離Ｌ２だけ上昇させて液晶を吸入させる。
【０４０１】
図３及び図１６ｄに示されるように、ピストン２２を回転させて液晶流入口２１ａを閉じ、液晶流出口２１ｂを開く。
【０４０２】
確定された距離Ｌ１があるので、ピストン２２を確定された距離Ｌ１に新たな一定距離Ｌ２を足した距離だけ下降させ、吸入された液晶を、液晶流出口２１ｂとノズル（図示せず）とを介して電子秤３０の測定板３１に液晶滴を２つ吐出させる。
【０４０３】
電子秤３０は、吐出された２つの液晶滴の重さを測定する。
【０４０４】
電子秤３０は、２つの液晶滴の重さについての情報を制御部に送る。
【０４０５】
測定の結果、吐出された２つの液晶滴の重さは、２ｍｇと仮定する。
【０４０６】
確定された距離Ｌ１があるので、吐出された２つの液晶滴の重さ２ｍｇから、確定された距離Ｌ１をピストン２２が下降する際に吐出された液晶滴の重さ１ｍｇを引いた重さを求める。
【０４０７】
求められた液晶の重さは、１ｍｇになる。
【０４０８】
求められた液晶の重さは、許容範囲内にある。
【０４０９】
したがって、新たな一定距離Ｌ２は、ピストン２２を新たな一定距離Ｌ２だけ下降させる時、液晶滴の設定された重さ１ｍｇが吐出されるべき第２の空間Ｓ２内でピストン２２が下降すべき距離として確定される。
【０４１０】
新たな一定距離Ｌ２を持った第２の空間Ｓ２に満たされる液晶の重さは、設定された重さである１ｍｇになる。
【０４１１】
したがって、第１の段階（Ｓ３１）から第３の段階（Ｓ３３）を再度実行しない。
【０４１２】
もちろん、測定の結果、吐出された液晶滴の重さが許容範囲を再度外れることがある。すると、第１の段階（Ｓ３１）から第３の段階（Ｓ３３）を再度実行する。
【０４１３】
以後、単位パネル領域に１ｍｇの液晶滴を１つ吐出させるために、ピストン２２を新たな一定距離Ｌ２の終点Ｐ２２から開始点Ｐ２１に下降させると、第２の空間Ｓ２に満たされた１ｍｇの液晶が、液晶流出口２１ｂとノズル（図示せず）とを介して１ｍｇの液晶滴として吐出される。
【０４１４】
以下、第３の空間Ｓ３内でピストン２２が下降すべき距離を確定する過程を説明する。
【０４１５】
設定された液晶滴の重さが吐出されるように、前記ピストンが下降すべき距離として新たに確定しようとする距離の直下の確定された距離は、Ｌ２である。
【０４１６】
設定された液晶滴の重さが吐出されるように、前記ピストンが下降すべき距離として新たに確定しようとする距離の基準点を、確定された距離Ｌ２の終点Ｐ２２とする。
【０４１７】
図１７ａに示されるように、ピストン２２を回転させて液晶流出口２１ｂを閉じ、液晶流入口２１ａを開く。
【０４１８】
ピストン２２を確定された距離Ｌ１の開始点Ｐ１１から確定された距離Ｌ２の終点Ｐ２２まで上昇させ、第１の空間Ｓ１及び第２の空間Ｓ２に液晶を満たす。
【０４１９】
ピストン２２を確定された距離Ｌ２の終点Ｐ２２から一定距離Ｌ０だけ上昇させて液晶を吸入させる。
【０４２０】
ピストン２２が確定された距離Ｌ２の終点Ｐ２２から一定距離Ｌ０だけ上昇すると、ピストン孔２１ｄに吸入される液晶の重さは、理論的に１ｍｇになる。
【０４２１】
図３及び図１７ｂに示されるように、ピストン２２を回転させて液晶流入口２１ａを閉じ、液晶流出口２１ｂを開く。
【０４２２】
確定された距離Ｌ１とＬ２とがあるので、ピストン２２を、確定された距離Ｌ１と確定された距離Ｌ２とに一定距離Ｌ０を足した距離だけ下降させ、吸入された液晶を、液晶流出口２１ｂとノズル（図示せず）とを介して電子秤３０の測定板３１に３つの液晶滴として吐出させる。
【０４２３】
電子秤３０は、３つの液晶滴の重さについての情報を制御部に送る。
【０４２４】
測定の結果、吐出された３つの液晶滴の重さが２．８ｍｇと仮定する。
【０４２５】
確定された距離Ｌ１とＬ２とがあるので、吐出された３つの液晶滴の重さ２．８ｍｇから、確定された距離Ｌ１をピストン２２が下降する際に吐出された液晶滴の重さ１ｍｇと、確定された距離Ｌ２をピストン２２が下降する際に吐出された液晶滴の重さ１ｍｇとを引いた重さを求める。
【０４２６】
求められた液晶の重さは、０．８ｍｇになる。
【０４２７】
液晶の重さ０．８ｍｇは、許容範囲（０．９９９７ｍｇ〜１．０００３ｍｇ）を外れる。
【０４２８】
したがって、一定距離Ｌ０を新たな一定距離Ｌ３に変える。
【０４２９】
下限値０．９９９７ｍｇよりも吐出された液晶滴の重さ０．８ｍｇが更に小さいので、新たな一定距離Ｌ３は、一定距離Ｌ０を増やして求める。増やす重さは、任意に定めることができる。
【０４３０】
一定距離Ｌ０を新たな一定距離Ｌ３に変えて、第１の段階（Ｓ３１）から第３の段階（Ｓ３３）を再度実行する。
【０４３１】
図１７ｃに示されるように、ピストン２２を回転させて液晶流出口２１ｂを閉じ、液晶流入口２１ａを開く。
【０４３２】
確定された距離Ｌ１とＬ２とがあるので、ピストン２２を確定された距離Ｌ１と確定された距離Ｌ２だけ上昇させて液晶を吸入させる。
【０４３３】
ピストン２２を確定された距離Ｌ２の終点Ｐ２２から新たな一定距離Ｌ３だけ上昇させて液晶を吸入させる。
【０４３４】
図３及び図１７ｄに示されるように、ピストン２２を回転させて液晶流入口２１ａを閉じ、液晶流出口２１ｂを開く。
【０４３５】
確定された距離Ｌ１とＬ２とがあるので、ピストン２２を確定された距離Ｌ１と確定された距離Ｌ２と新たな一定距離Ｌ３とを足した距離だけ下降させ、吸入された液晶を、液晶流出口２１ｂとノズル（図示せず）とを介して電子秤３０の測定板３１に３つの液晶滴として吐出させる。
【０４３６】
電子秤３０は、吐出された３つの液晶滴の重さを測定する。
【０４３７】
電子秤３０は、３つの液晶滴の重さについての情報を制御部に送る。
【０４３８】
測定の結果、吐出された３つの液晶滴の重さは、３ｍｇと仮定する。
【０４３９】
確定された距離Ｌ１とＬ２とがあるので、吐出された３つの液晶滴の重さ３ｍｇから、確定された距離Ｌ１をピストン２２が下降する際に吐出された液晶滴の重さ１ｍｇと、確定された距離Ｌ２をピストン２２が下降する際に吐出された液晶滴の重さ１ｍｇとを引いた重さを求める。
【０４４０】
求められた液晶の重さは、１ｍｇになる。
【０４４１】
求められた液晶の重さは、許容範囲内にある。
【０４４２】
したがって、新たな一定距離Ｌ３は、ピストン２２を新たな一定距離Ｌ３だけ下降させる時、液晶滴の設定された重さ１ｍｇが吐出されるべき第３の空間Ｓ３内でピストン２２が下降すべき距離として確定される。
【０４４３】
新たな一定距離Ｌ３を持った第３の空間Ｓ３に満たされる液晶の重さは、設定された重さである１ｍｇになる。
【０４４４】
したがって、第１の段階（Ｓ３１）から第３の段階（Ｓ３３）を再度実行しない。
【０４４５】
もちろん、測定の結果、吐出された液晶滴の重さが許容範囲を再度外れることがある。すると、第１の段階（Ｓ３１）から第３の段階（Ｓ３３）を再度実行する。
【０４４６】
以後、単位パネル領域に１ｍｇの液晶滴を１つ吐出させるために、ピストン２２を新たな一定距離Ｌ３の終点Ｐ３２から開始点Ｐ３１に下降させると、第３の空間Ｓ３に満たされた１ｍｇの液晶が、液晶流出口２１ｂとノズル（図示せず）とを介して１ｍｇの液晶滴として吐出される。
【０４４７】
以下、第４の空間Ｓ４内でピストン２２が下降すべき距離を確定する過程を説明する。
【０４４８】
設定された液晶滴の重さが吐出されるように、前記ピストンが下降すべき距離として新たに確定しようとする距離の直下の確定された距離は、Ｌ３である。
【０４４９】
設定された液晶滴の重さが吐出されるように、前記ピストンが下降すべき距離として新たに確定しようとする距離の基準点を、確定された距離Ｌ３の終点Ｐ３２とする。
【０４５０】
図１８ａに示されるように、ピストン２２を回転させて液晶流出口２１ｂを閉じ、液晶流入口２１ａを開く。
【０４５１】
ピストン２２を確定された距離Ｌ１の開始点Ｐ１１から確定された距離Ｌ３の終点Ｐ３２まで上昇させ、第１の空間Ｓ１、第２の空間Ｓ２及び第３の空間Ｓ３に液晶を満たす。
【０４５２】
ピストン２２を確定された距離Ｌ３の終点Ｐ３２から一定距離Ｌ０だけ上昇させて液晶を吸入させる。
【０４５３】
ピストン２２が確定された距離Ｌ３の終点Ｐ３２から一定距離Ｌ０だけ上昇すると、ピストン孔２１ｄに吸入される液晶の重さは、理論的に１ｍｇになる。
【０４５４】
図３及び図１８ｂに示されるように、ピストン２２を回転させて液晶流入口２１ａを閉じ、液晶流出口２１ｂを開く。
【０４５５】
確定された距離Ｌ１とＬ２とＬ３とがあるので、ピストン２２を確定された距離Ｌ１と確定された距離Ｌ２と確定された距離Ｌ３と一定距離Ｌ０とを足した距離だけ下降させ、吸入された液晶を、液晶流出口２１ｂとノズル（図示せず）とを介して電子秤３０の測定板３１に４つの液晶滴として吐出させる。
【０４５６】
電子秤３０は、４つの液晶滴の重さについての情報を制御部に送る。
【０４５７】
測定の結果、吐出された４つの液晶滴の重さが３．４ｍｇと仮定する。
【０４５８】
確定された距離Ｌ１とＬ２とＬ３とがあるので、吐出された４つの液晶滴の重さ３．４ｍｇから、確定された距離Ｌ１をピストン２２が下降する際に吐出された液晶滴の重さ１ｍｇと、確定された距離Ｌ２をピストン２２が下降する際に吐出された液晶滴の重さ１ｍｇと、確定された距離Ｌ３をピストン２２が下降する際に吐出された液晶滴の重さ１ｍｇとを引いた重さを求める。
【０４５９】
求められた液晶の重さは、０．４ｍｇになる。
【０４６０】
液晶の重さ０．４ｍｇは、許容範囲（０．９９９７ｍｇ〜１．０００３ｍｇ）を外れる。
【０４６１】
したがって、一定距離Ｌ０を新たな一定距離Ｌ４に変える。
【０４６２】
下限値０．９９９７ｍｇよりも吐出された液晶滴の重さ０．４ｍｇが更に小さいので、新たな一定距離Ｌ４は、一定距離Ｌ０を増やして求める。増やす重さは、任意に定めることができる。
【０４６３】
一定距離Ｌ０を新たな一定距離Ｌ４に変えて、第１の段階（Ｓ３１）から第３の段階（Ｓ３３）を再度実行する。
【０４６４】
図１８ｃに示されるように、ピストン２２を回転させて液晶流出口２１ｂを閉じ、液晶流入口２１ａを開く。
【０４６５】
確定された距離Ｌ１とＬ２とＬ３とがあるので、ピストン２２を確定された距離Ｌ１と確定された距離Ｌ２と確定された距離Ｌ３だけ上昇させて液晶を吸入させる。
【０４６６】
ピストン２２を確定された距離Ｌ３の終点Ｐ３２から新たな一定距離Ｌ４だけ上昇させて液晶を吸入させる。
【０４６７】
図３及び図１８ｄに示されるように、ピストン２２を回転させて液晶流入口２１ａを閉じ、液晶流出口２１ｂを開く。
【０４６８】
確定された距離Ｌ１とＬ２とＬ３とがあるので、ピストン２２を確定された距離Ｌ１と確定された距離Ｌ２と確定された距離Ｌ３と新たな一定距離Ｌ４とを足した距離だけ下降させ、吸入された液晶を、液晶流出口２１ｂとノズル（図示せず）とを介して電子秤３０の測定板３１に４つの液晶滴として吐出させる。
【０４６９】
電子秤３０は、吐出された４つの液晶滴の重さを測定する。
【０４７０】
電子秤３０は、４つの液晶滴の重さについての情報を制御部に送る。
【０４７１】
測定の結果、吐出された４つの液晶滴の重さは、４ｍｇと仮定する。
【０４７２】
確定された距離Ｌ１とＬ２とＬ３とがあるので、吐出された４つの液晶滴の重さ４ｍｇから、確定された距離Ｌ１をピストン２２が下降する際に吐出された液晶滴の重さ１ｍｇと、確定された距離Ｌ２をピストン２２が下降する際に吐出された液晶滴の重さ１ｍｇと、確定された距離Ｌ３をピストン２２が下降する際に吐出された液晶滴の重さ１ｍｇとを引いた重さを求める。
【０４７３】
求められた液晶の重さは、１ｍｇになる。
【０４７４】
求められた液晶の重さは、許容範囲内にある。
【０４７５】
したがって、新たな一定距離Ｌ４は、ピストン２２を新たな一定距離Ｌ４だけ下降させる時、液晶滴の設定された重さ１ｍｇが吐出されるべき第４の空間Ｓ４内でピストン２２が下降すべき距離として確定される。
【０４７６】
新たな一定距離Ｌ４を持った第４の空間Ｓ４に満たされる液晶の重さは、設定された重さである１ｍｇになる。
【０４７７】
したがって、第１の段階（Ｓ３１）から第３の段階（Ｓ３３）を再度実行しない。
【０４７８】
もちろん、測定の結果、吐出された液晶滴の重さが許容範囲を再度外れることがある。すると、第１の段階（Ｓ３１）から第３の段階（Ｓ３３）を再度実行する。
【０４７９】
以後、単位パネル領域に１ｍｇの液晶滴を１つ吐出させるために、ピストン２２を新たな一定距離Ｌ４の終点Ｐ４２から開始点Ｐ４１に下降させると、第４の空間Ｓ４に満たされた１ｍｇの液晶が、液晶流出口２１ｂとノズル（図示せず）とを介して１ｍｇの液晶滴として吐出される。
【０４８０】
図１９は、本発明の第４の実施形態に係る液晶滴の重さの設定方法を示す順序図である。図２０（ａ）（ｂ）（ｃ）（ｄ）（ｅ）（ｆ）は、図１９の液晶滴の重さの設定方法で、第１の空間に満たされた液晶を吐出させるべく、ピストンが下降すべき距離を確定するために、シリンダー内のピストンの位置を順に示す図である。図２１（ａ）（ｂ）（ｃ）（ｄ）（ｅ）（ｆ）は、図１９の液晶滴の重さの設定方法で、第２の空間に満たされた液晶を吐出させるべく、ピストンが下降すべき距離を確定するために、シリンダー内のピストンの位置を順に示す図である。図２２（ａ）（ｂ）（ｃ）（ｄ）（ｅ）（ｆ）は、図１９の液晶滴の重さの設定方法で、第３の空間に満たされた液晶を吐出させるべく、ピストンが下降すべき距離を確定するために、シリンダー内のピストンの位置を順に示す図である。図２３（ａ）（ｂ）（ｃ）（ｄ）（ｅ）（ｆ）は、図１９の液晶滴の重さの設定方法で、第４の空間に満たされた液晶を吐出させるべく、ピストンが下降すべき距離を確定するために、シリンダー内のピストンの位置を順に示す図である。
【０４８１】
第４の実施形態では、設定された液晶滴の重さが１ｍｇである液晶滴を４つ吐出するために、１ｍｇの液晶が各々満たされる４つの空間Ｓ１、Ｓ２、Ｓ３、Ｓ４内でピストンが下降すべき距離を確定する。したがって、確定しようとする距離の数は、４である。
【０４８２】
もちろん、１つの液晶滴の重さを１ｍｇより少なく又は多く設定することもできる。
【０４８３】
もちろん、確定しようとする距離の数は、４より少なく又は多く定めることもできる。
【０４８４】
そして、第１の空間Ｓ１、第２の空間Ｓ２、第３の空間Ｓ３、第４の空間Ｓ４の順に設定された液晶滴の重さ１ｍｇが吐出されるために、ピストンが下降すべき距離が確定される。
【０４８５】
図１９を参照すれば、本発明の第４の実施形態に係る液晶滴の重さの設定方法は、
シリンダー２１内に設けられたピストン２２を回転させて液晶流出口２１ｂを閉じ、液晶流入口２１ａを開け、基準点からピストン２２を一定距離に追加距離を足した距離だけ上昇させて液晶を吸入させる第１の段階（Ｓ４１）と；
前記ピストン２２を回転させて前記液晶流入口２１ａを閉じ、前記液晶流出口２１ｂを開け、前記ピストンを前記追加距離だけ下降させ、液晶を前記液晶流出口２１ｂとノズルとを介して液晶滴として吐出させる第２の段階（Ｓ４２）と；
前記ピストン２２を前記一定距離だけ下降させ、液晶を前記液晶流出口２１ｂとノズルとを介して液晶滴として吐出させる第３の段階（Ｓ４３）と；
前記第３の段階（Ｓ４３）で吐出された液晶滴の重さを測定する第４の段階（Ｓ４４）と；
前記測定された液晶滴の重さが許容範囲内に収まっている場合は、前記一定距離を、設定された液晶滴の重さが吐出されるように、前記ピストン２２が下降すべき距離として確定し、
前記許容範囲を外れる場合は、前記一定距離を新たな一定距離に変えて、前記新たな一定距離をもって吐出されるべき液晶滴の重さが前記許容範囲内に収まり、前記新たな一定距離を、設定された液晶滴の重さが吐出されるように、前記ピストン２２が下降すべき距離として確定するまで、前記第１の段階（Ｓ４１）から第４の段階（Ｓ４４）を実行する第５の段階（Ｓ４５）と；
設定された液晶滴の重さが吐出されるように、前記ピストンが下降すべき距離として新たに確定しようとする距離の数だけ、前記ピストン２２を回転させて前記液晶流出口２１ｂを閉じ、前記液晶流入口２１ａを開け、前記ピストンを、設定された液晶滴の重さが吐出されるように、前記ピストンが下降すべき距離として新たに確定しようとする距離の直下の確定された距離の終点まで上昇させて液晶を吸入させ、前記設定された液晶滴の重さが吐出されるように、前記ピストンが下降すべき距離として新たに確定しようとする距離の基準点を前記直下の確定された距離の終点として、前記第１の段階（Ｓ４１）から第５の段階（Ｓ４５）を実行し、前記第１の段階（Ｓ４１）のシリンダー２１内に設けられたピストン２２を回転させて液晶流出口２１ｂを閉じ、液晶流入口２１ａを開けることを除き、実行する第６の段階（Ｓ４６）と、を含む。
【０４８６】
以下、第１の段階（Ｓ４１）を説明する。
【０４８７】
距離を確定しようとする空間は、第１の空間Ｓ１である。
【０４８８】
１つの液晶滴の設定重さは、１ｍｇである。
【０４８９】
１つの液晶滴の重さが１ｍｇであるので、第１の空間Ｓ１に満たされる液晶の重さは、１ｍｇになるべきである。
【０４９０】
図２０ａに示されるように、ピストン２２を回転させて液晶流出口２１ｂを閉じ、液晶流入口２１ａを開く。
【０４９１】
ピストン２２を基準点Ｐ０から一定距離Ｌ０に追加距離Ｌｒを足した距離だけ上昇させて液晶を吸入させる。
【０４９２】
ピストン２２が基準点Ｐ０から一定距離Ｌ０だけ上昇すると、ピストン孔２１ｄに吸入される液晶の重さは、理論的に１ｍｇになる。
【０４９３】
前記追加距離Ｌｒは、一定距離Ｌ０の１／２である。
【０４９４】
もちろん、追加距離Ｌｒを一定距離Ｌ０の１／２より少なく又は大きく定めることもできる。
【０４９５】
以下、第２の段階（Ｓ４２）を説明する。
【０４９６】
図２０ｂに示されるように、ピストン２２を追加距離Ｌｒだけ下降させ、吸入された液晶を、液晶流出口２１ｂとノズルとを介して吐出させる。
【０４９７】
液晶が吐出されながら、ノズルの終端に残留する液晶を除去する。
【０４９８】
したがって、ノズルの終端に残留する液晶が、第１の空間Ｓ１内でピストン２２が下降すべき距離の確定中に電子秤３０に落ちて、測定されることが防止される。
【０４９９】
以下、第３の段階（Ｓ４３）を説明する。
【０５００】
図３及び図２０ｃを参照すれば、ピストン孔２１ｄに吸入された液晶を、液晶流出口２１ｂとノズル（図示せず）とを介して電子秤３０の測定板３１に液晶滴として吐出させる。
【０５０１】
以下、第４の段階（Ｓ４４）を説明する。
【０５０２】
電子秤３０は、吐出された液晶滴の重さを測定する。
【０５０３】
電子秤３０は、液晶滴の重さについての情報を制御部に送る。
【０５０４】
測定の結果、吐出された液晶滴の重さを１．６ｍｇと仮定する。
【０５０５】
以下、第５の段階（Ｓ４５）を説明する。
【０５０６】
許容範囲を液晶滴の設定された重さ×（１±０．００３）と仮定する。
【０５０７】
実験結果、吐出された液晶滴の重さが液晶滴の設定された重さ×（１±０．００３）内に収まっていれば、吐出された液晶滴の重さが設定された重さと実質的に一致すると見なせる。
【０５０８】
例えば、設定された液晶滴の重さが１ｍｇである場合、許容範囲は、０．９９９７ｍｇ以上１．０００３ｍｇ以下となる。ここで、許容範囲の下限値は、０．９９９７ｍｇである。許容範囲の上限値は、１．０００３ｍｇである。
【０５０９】
吐出された液晶滴の重さが許容範囲内に収まっていれば、一定距離Ｌ０は、ピストン２２を一定距離Ｌ０だけ下降させる時、液晶滴の設定された重さ１ｍｇが吐出されるべき第１の空間Ｓ１内でピストン２２が下降すべき距離として確定される。
【０５１０】
しかしながら、吐出された液晶滴の重さ１．６ｍｇは、許容範囲を外れる。
【０５１１】
したがって、一定距離Ｌ０を新たな一定距離Ｌ１に変える。
【０５１２】
上限値１．０００３ｍｇよりも吐出された液晶滴の重さ１．６ｍｇが更に大きいので、新たな一定距離Ｌ１は、一定距離Ｌ０を減らして求める。減らす重さは、任意に定めることができる。
【０５１３】
一定距離Ｌ０を新たな一定距離Ｌ１に変えて、第１の段階（Ｓ４１）から第４の段階（Ｓ４４）を再度実行する。
【０５１４】
図２０ｄに示されるように、ピストン２２を回転させて液晶流出口２１ｂを閉じ、液晶流入口２１ａを開く。
【０５１５】
ピストン２２を基準点Ｐ０から新たな一定距離Ｌ１に追加距離Ｌｒを足した距離だけ上昇させて液晶を吸入させる。
【０５１６】
図２０ｅに示されるように、ピストン２２を回転させて液晶流入口２１ａを閉じ、液晶流出口２１ｂを開く。
【０５１７】
ピストン２２を追加距離Ｌｒだけ下降させ、吸入された液晶を、液晶流出口２１ｂとノズルとを介して吐出させる。
【０５１８】
液晶が吐出されながら、ノズルの終端に残留する液晶を除去する。
【０５１９】
したがって、ノズルの終端に残留する液晶が、第１の空間Ｓ１内でピストン２２が下降すべき距離の確定中に電子秤３０に落ちて、測定されることが防止される。
【０５２０】
図３及び図２０ｆに示されるように、ピストン２２を新たな一定距離Ｌ１だけ下降させ、吸入された液晶を、液晶流出口２１ｂとノズル（図示せず）とを介して電子秤３０の測定板３１に液晶滴として吐出させる。
【０５２１】
電子秤３０は、吐出された液晶滴の重さを測定する。
【０５２２】
電子秤３０は、液晶滴の重さについての情報を制御部に送る。
【０５２３】
測定の結果、吐出された液晶滴の重さは、１ｍｇと仮定する。
【０５２４】
吐出された液晶滴の重さは、許容範囲内にある。
【０５２５】
したがって、新たな一定距離Ｌ１は、ピストン２２を新たな一定距離Ｌ１だけ下降させる時、液晶滴の設定された重さ１ｍｇが吐出されるべき第１の空間Ｓ１内でピストン２２が下降すべき距離として確定される。
【０５２６】
新たな一定距離Ｌ１を持った第１の空間Ｓ１に満たされる液晶の重さは、設定された重さである１ｍｇになる。
【０５２７】
したがって、第１の段階（Ｓ４１）から第４の段階（Ｓ４４）を再度実行しない。
【０５２８】
もちろん、測定の結果、吐出された液晶滴の重さが許容範囲を再度外れることがある。すると、第１の段階（Ｓ４１）から第４の段階（Ｓ４４）を再度実行する。
【０５２９】
以後、単位パネル領域に１ｍｇの液晶滴を１つ吐出させるために、ピストン２２を新たな一定距離Ｌ１の終点Ｐ１２から開始点Ｐ１１に下降させると、第１の空間Ｓ１に満たされた１ｍｇの液晶が、液晶流出口２１ｂとノズル（図示せず）とを介して１ｍｇの液晶滴として吐出される。
【０５３０】
以下、第６の段階（Ｓ４６）を説明する。
【０５３１】
第１の空間Ｓ１内でピストン２２が下降すべき距離が確定されると、第２の空間Ｓ２、第３の空間Ｓ３、第４の空間Ｓ４の順にピストン２２が下降すべき距離が確定される。
【０５３２】
設定された液晶滴の重さが吐出されるように、前記ピストンが下降すべき距離として新たに確定しようとする距離の数が３であるので、第１の段階（Ｓ４１）から第５の段階（Ｓ４５）を３回繰り返す。
【０５３３】
以下、第２の空間Ｓ２内でピストン２２が下降すべき距離を確定する過程を説明する。
【０５３４】
設定された液晶滴の重さが吐出されるように、前記ピストンが下降すべき距離として新たに確定しようとする距離の直下の確定された距離は、Ｌ１である。
【０５３５】
設定された液晶滴の重さが吐出されるように、前記ピストンが下降すべき距離として新たに確定しようとする距離の基準点を、確定された距離Ｌ１の終点Ｐ１２とする。
【０５３６】
図２１ａに示されるように、ピストン２２を回転させて液晶流出口２１ｂを閉じ、液晶流入口２１ａを開く。
【０５３７】
ピストン２２を確定された距離Ｌ１の開始点Ｐ１１から終点Ｐ１２まで上昇させ、第１の空間Ｓ１に液晶を満たす。
【０５３８】
ピストン２２を確定された距離Ｌ１の終点Ｐ１２から一定距離Ｌ０と追加距離Ｌｒとを足した距離だけ上昇させて液晶を吸入させる。
【０５３９】
ピストン２２が確定された距離Ｌ１の終点Ｐ１２から一定距離Ｌ０だけ上昇すると、ピストン孔２１ｄに吸入される液晶の重さは、理論的に１ｍｇになる。
【０５４０】
図２１ｂに示されるように、ピストン２２を回転させて液晶流入口２１ａを閉じ、液晶流出口２１ｂを開く。
【０５４１】
ピストン２２を追加距離Ｌｒだけ下降させ、吸入された液晶を、液晶流出口２１ｂとノズルとを介して吐出させる。
【０５４２】
液晶が吐出されながら、ノズルの終端に残留する液晶を除去する。
【０５４３】
したがって、ノズルの終端に残留する液晶が、第２の空間Ｓ２内でピストン２２が下降すべき距離の確定中に電子秤３０に落ちて、測定されることが防止される。
【０５４４】
図３及び図２１ｃに示されるように、ピストン２２を一定距離Ｌ０だけ下降させ、吸入された液晶を、液晶流出口２１ｂとノズル（図示せず）とを介して電子秤３０の測定板３１に液晶滴として吐出させる。
【０５４５】
電子秤３０は、吐出された液晶滴の重さを測定する。
【０５４６】
電子秤３０は、液晶滴の重さについての情報を制御部に送る。
【０５４７】
測定の結果、吐出された液晶滴の重さが１．２ｍｇと仮定する。液晶の重さ１．２ｍｇは、許容範囲（０．９９９７ｍｇ〜１．０００３ｍｇ）を外れる。
【０５４８】
したがって、一定距離Ｌ０を新たな一定距離Ｌ２に変える。
【０５４９】
上限値１．０００３ｍｇよりも吐出された液晶滴の重さ１．２ｍｇが更に大きいので、新たな一定距離Ｌ２は、一定距離Ｌ０を減らして求める。減らす重さは、任意に定めることができる。
【０５５０】
一定距離Ｌ０を新たな一定距離Ｌ２に変えて、第１の段階（Ｓ４１）から第４の段階（Ｓ４４）を再度実行する。
【０５５１】
図２１ｄに示されるように、ピストン２２を回転させて液晶流出口２１ｂを閉じ、液晶流入口２１ａを開く。
【０５５２】
ピストン２２を確定された距離Ｌ１の終点Ｐ１２から新たな一定距離Ｌ２に追加距離Ｌｒを足した距離だけ上昇させて液晶を吸入させる。
【０５５３】
図２１ｅに示されるように、ピストン２２を回転させて液晶流入口２１ａを閉じ、液晶流出口２１ｂを開く。
【０５５４】
ピストン２２を追加距離Ｌｒだけ下降させ、吸入された液晶を、液晶流出口２１ｂとノズルとを介して吐出させる。
【０５５５】
液晶が吐出されながら、ノズルの終端に残留する液晶を除去する。
【０５５６】
したがって、ノズルの終端に残留する液晶が、第２の空間Ｓ２内でピストン２２が下降すべき距離の確定中に電子秤３０に落ちて、測定されることが防止される。
【０５５７】
図２１ｆに示されるように、ピストン２２を新たな一定距離Ｌ２だけ下降させ、吸入された液晶を、液晶流出口２１ｂとノズル（図示せず）とを介して電子秤３０の測定板３１に液晶滴として吐出させる。
【０５５８】
電子秤３０は、吐出された液晶滴の重さを測定する。
【０５５９】
電子秤３０は、液晶滴の重さについての情報を制御部に送る。
【０５６０】
測定の結果、吐出された液晶滴の重さは、１ｍｇと仮定する。
【０５６１】
吐出された液晶滴の重さは、許容範囲内にある。
【０５６２】
したがって、新たな一定距離Ｌ２は、ピストン２２を新たな一定距離Ｌ２だけ下降させる時、液晶滴の設定された重さ１ｍｇが吐出されるべき第２の空間Ｓ２内でピストン２２が下降すべき距離として確定される。
【０５６３】
新たな一定距離Ｌ２を持った第２の空間Ｓ２に満たされる液晶の重さは、設定された重さである１ｍｇになる。
【０５６４】
したがって、第１の段階（Ｓ４１）から第４の段階（Ｓ４４）を再度実行しない。
【０５６５】
もちろん、測定の結果、吐出された液晶滴の重さが許容範囲を再度外れることがある。すると、第１の段階（Ｓ４１）から第４の段階（Ｓ４４）を再度実行する。
【０５６６】
以後、単位パネル領域に１ｍｇの液晶滴を１つ吐出させるために、ピストン２２を新たな一定距離Ｌ２の終点Ｐ２２から開始点Ｐ２１に下降させると、第２の空間Ｓ２に満たされた１ｍｇの液晶が、液晶流出口２１ｂとノズル（図示せず）とを介して１ｍｇの液晶滴として吐出される。
【０５６７】
以下、第３の空間Ｓ３内でピストン２２が下降すべき距離を確定する過程を説明する。
【０５６８】
設定された液晶滴の重さが吐出されるように、前記ピストンが下降すべき距離として新たに確定しようとする距離の直下の確定された距離は、Ｌ２である。
【０５６９】
設定された液晶滴の重さが吐出されるように、前記ピストンが下降すべき距離として新たに確定しようとする距離の基準点を、確定された距離Ｌ２の終点Ｐ２２とする。
【０５７０】
図２２ａに示されるように、ピストン２２を回転させて液晶流出口２１ｂを閉じ、液晶流入口２１ａを開く。
【０５７１】
ピストン２２を確定された距離Ｌ２の開始点Ｐ２１から終点Ｐ２２まで上昇させ、第２の空間Ｓ２に液晶を満たす。
【０５７２】
ピストン２２を確定された距離Ｌ２の終点Ｐ２２から一定距離Ｌ０と追加距離Ｌｒとを足した距離だけ上昇させて液晶を吸入させる。
【０５７３】
ピストン２２が確定された距離Ｌ２の終点Ｐ２２から一定距離Ｌ０だけ上昇すると、ピストン孔２１ｄに吸入される液晶の重さは、理論的に１ｍｇになる。
【０５７４】
図２２ｂに示されるように、ピストン２２を回転させて液晶流入口２１ａを閉じ、液晶流出口２１ｂを開く。
【０５７５】
ピストン２２を追加距離Ｌｒだけ下降させ、吸入された液晶を、液晶流出口２１ｂとノズルとを介して吐出させる。
【０５７６】
液晶が吐出されながら、ノズルの終端に残留する液晶を除去する。
【０５７７】
したがって、ノズルの終端に残留する液晶が、第３の空間Ｓ３内でピストン２２が下降すべき距離の確定中に電子秤３０に落ちて、測定されることが防止される。
【０５７８】
図３及び図２２ｃに示されるように、ピストン２２を一定距離Ｌ０だけ下降させ、吸入された液晶を、液晶流出口２１ｂとノズル（図示せず）とを介して電子秤３０の測定板３１に液晶滴として吐出させる。
【０５７９】
電子秤３０は、吐出された液晶滴の重さを測定する。
【０５８０】
電子秤３０は、液晶滴の重さについての情報を制御部に送る。
【０５８１】
測定の結果、吐出された液晶滴の重さが０．８ｍｇと仮定する。液晶の重さ０．８ｍｇは、許容範囲（０．９９９７ｍｇ〜１．０００３ｍｇ）を外れる。
【０５８２】
したがって、一定距離Ｌ０を新たな一定距離Ｌ３に変える。
【０５８３】
下限値０．９９９７ｍｇよりも吐出された液晶滴の重さ０．８ｍｇが更に小さいので、新たな一定距離Ｌ３は、一定距離Ｌ０を増やして求める。増やす重さは、任意に定めることができる。
【０５８４】
一定距離Ｌ０を新たな一定距離Ｌ３に変えて、第１の段階（Ｓ４１）から第４の段階（Ｓ４４）を再度実行する。
【０５８５】
図２２ｄに示されるように、ピストン２２を回転させて液晶流出口２１ｂを閉じ、液晶流入口２１ａを開く。
【０５８６】
ピストン２２を確定された距離Ｌ２の終点Ｐ２２から新たな一定距離Ｌ３に追加距離Ｌｒを足した距離だけ上昇させて液晶を吸入させる。
【０５８７】
図２２ｅに示されるように、ピストン２２を回転させて液晶流入口２１ａを閉じ、液晶流出口２１ｂを開く。
【０５８８】
ピストン２２を追加距離Ｌｒだけ下降させ、吸入された液晶を、液晶流出口２１ｂとノズルとを介して吐出させる。
【０５８９】
液晶が吐出されながら、ノズルの終端に残留する液晶を除去する。
【０５９０】
したがって、ノズルの終端に残留する液晶が、第３の空間Ｓ３内でピストン２２が下降すべき距離の確定中に電子秤３０に落ちて、測定されることが防止される。
【０５９１】
図２２ｆに示されるように、ピストン２２を新たな一定距離Ｌ３だけ下降させ、吸入された液晶を、液晶流出口２１ｂとノズル（図示せず）とを介して電子秤３０の測定板３１に液晶滴として吐出させる。
【０５９２】
電子秤３０は、吐出された液晶滴の重さを測定する。
【０５９３】
電子秤３０は、液晶滴の重さについての情報を制御部に送る。
【０５９４】
測定の結果、吐出された液晶滴の重さは、１ｍｇと仮定する。
【０５９５】
吐出された液晶滴の重さは、許容範囲内にある。
【０５９６】
したがって、新たな一定距離Ｌ３は、ピストン２２を新たな一定距離Ｌ３だけ下降させる時、液晶滴の設定された重さ１ｍｇが吐出されるべき第３の空間Ｓ３内でピストン２２が下降すべき距離として確定される。
【０５９７】
新たな一定距離Ｌ３を持った第３の空間Ｓ３に満たされる液晶の重さは、設定された重さである１ｍｇになる。
【０５９８】
したがって、第１の段階（Ｓ４１）から第４の段階（Ｓ４４）を再度実行しない。
【０５９９】
もちろん、測定の結果、吐出された液晶滴の重さが許容範囲を再度外れることがある。すると、第１の段階（Ｓ４１）から第４の段階（Ｓ４４）を再度実行する。
【０６００】
以後、単位パネル領域に１ｍｇの液晶滴を１つ吐出させるために、ピストン２２を新たな一定距離Ｌ３の終点Ｐ３２から開始点Ｐ３１に下降させると、第３の空間Ｓ３に満たされた１ｍｇの液晶が、液晶流出口２１ｂとノズル（図示せず）とを介して１ｍｇの液晶滴として吐出される。
【０６０１】
以下、第４の空間Ｓ４内でピストン２２が下降すべき距離を確定する過程を説明する。
【０６０２】
設定された液晶滴の重さが吐出されるように、前記ピストンが下降すべき距離として新たに確定しようとする距離の直下の確定された距離は、Ｌ３である。
【０６０３】
設定された液晶滴の重さが吐出されるように、前記ピストンが下降すべき距離として新たに確定しようとする距離の基準点を、確定された距離Ｌ３の終点Ｐ３２とする。
【０６０４】
図２３ａに示されるように、ピストン２２を回転させて液晶流出口２１ｂを閉じ、液晶流入口２１ａを開く。
【０６０５】
ピストン２２を確定された距離Ｌ３の開始点Ｐ３１から終点Ｐ３２まで上昇させて第３の空間Ｓ３に液晶を満たす。
【０６０６】
ピストン２２を確定された距離Ｌ３の終点Ｐ３２から一定距離Ｌ０と追加距離Ｌｒとを足した距離だけ上昇させて液晶を吸入させる。
【０６０７】
ピストン２２が確定された距離Ｌ３の終点Ｐ３２から一定距離Ｌ０だけ上昇すると、ピストン孔２１ｄに吸入される液晶の重さは、理論的に１ｍｇになる。
【０６０８】
図２３ｂに示されるように、ピストン２２を回転させて液晶流入口２１ａを閉じ、液晶流出口２１ｂを開く。
【０６０９】
ピストン２２を追加距離Ｌｒだけ下降させ、吸入された液晶を、液晶流出口２１ｂとノズルとを介して吐出させる。
【０６１０】
液晶が吐出されながら、ノズルの終端に残留する液晶を除去する。
【０６１１】
したがって、ノズルの終端に残留する液晶が、第４の空間Ｓ４内でピストン２２が下降すべき距離の確定中に電子秤３０に落ちて、測定されることが防止される。
【０６１２】
図３及び図２３ｃに示されるように、ピストン２２を一定距離Ｌ０だけ下降させ、吸入された液晶を、液晶流出口２１ｂとノズル（図示せず）とを介して電子秤３０の測定板３１に液晶滴として吐出させる。
【０６１３】
電子秤３０は、吐出された液晶滴の重さを測定する。
【０６１４】
電子秤３０は、液晶滴の重さについての情報を制御部に送る。
【０６１５】
測定の結果、吐出された液晶滴の重さが０．４ｍｇと仮定する。液晶の重さ０．４ｍｇは、許容範囲（０．９９９７ｍｇ〜１．０００３ｍｇ）を外れる。
【０６１６】
したがって、一定距離Ｌ０を新たな一定距離Ｌ４に変える。
【０６１７】
下限値０．９９９７ｍｇよりも吐出された液晶滴の重さ０．４ｍｇが更に小さいので、新たな一定距離Ｌ４は、一定距離Ｌ０を増やして求める。増やす重さは、任意に定めることができる。
【０６１８】
一定距離Ｌ０を新たな一定距離Ｌ４に変えて、第１の段階（Ｓ４１）から第４の段階（Ｓ４４）を再度実行する。
【０６１９】
図２３ｄに示されるように、ピストン２２を回転させて液晶流出口２１ｂを閉じ、液晶流入口２１ａを開く。
【０６２０】
ピストン２２を確定された距離Ｌ３の終点Ｐ３２から新たな一定距離Ｌ４に追加距離Ｌｒを足した距離だけ上昇させて液晶を吸入させる。
【０６２１】
図２３ｅに示されるように、ピストン２２を回転させて液晶流入口２１ａを閉じ、液晶流出口２１ｂを開く。
【０６２２】
ピストン２２を追加距離Ｌｒだけ下降させ、吸入された液晶を、液晶流出口２１ｂとノズルとを介して吐出させる。
【０６２３】
液晶が吐出されながら、ノズルの終端に残留する液晶を除去する。
【０６２４】
したがって、ノズルの終端に残留する液晶が、第４の空間Ｓ４内でピストン２２が下降すべき距離の確定中に電子秤３０に落ちて、測定されることが防止される。
【０６２５】
図３及び図２３ｆに示されるように、ピストン２２を新たな一定距離Ｌ４だけ下降させ、吸入された液晶を、液晶流出口２１ｂとノズル（図示せず）とを介して電子秤３０の測定板３１に液晶滴として吐出させる。
【０６２６】
電子秤３０は、吐出された液晶滴の重さを測定する。
【０６２７】
電子秤３０は、液晶滴の重さについての情報を制御部に送る。
【０６２８】
測定の結果、吐出された液晶滴の重さは、１ｍｇと仮定する。
【０６２９】
吐出された液晶滴の重さは、許容範囲内にある。
【０６３０】
したがって、新たな一定距離Ｌ４は、ピストン２２を新たな一定距離Ｌ４だけ下降させる時、液晶滴の設定された重さ１ｍｇが吐出されるべき第４の空間Ｓ４内でピストン２２が下降すべき距離として確定される。
【０６３１】
新たな一定距離Ｌ４を持った第４の空間Ｓ４に満たされる液晶の重さは、設定された重さである１ｍｇになる。
【０６３２】
したがって、第１の段階（Ｓ４１）から第４の段階（Ｓ４４）を再度実行しない。
【０６３３】
もちろん、測定の結果、吐出された液晶滴の重さが許容範囲を再度外れることがある。すると、第１の段階（Ｓ４１）から第４の段階（Ｓ４４）を再度実行する。
【０６３４】
以後、単位パネル領域に１ｍｇの液晶滴を１つ吐出させるために、ピストン２２を新たな一定距離Ｌ４の終点Ｐ４２から開始点Ｐ４１に下降させると、第４の空間Ｓ４に満たされた１ｍｇの液晶が、液晶流出口２１ｂとノズル（図示せず）とを介して１ｍｇの液晶滴として吐出される。
【０６３５】
以下、第１の実施形態により液晶滴の重さが設定された後、その設定された重さを持った液晶滴を部分吐出方式により単位パネル領域に吐出させる方法を説明する。
【０６３６】
図２４ａは、シリンダー及びその内部に設けられたピストンの縦断面図であって、吸入行程時のピストンの位置及び第１の実施形態により距離が確定された空間を示す図である。
【０６３７】
図２４ｂは、シリンダー及びその内部に設けられたピストンの縦断面図であって、吐出行程時のピストンの位置及び第１の実施形態により距離が確定された空間を示す図である。
【０６３８】
図２４ａ及び図２４ｂに示される点線矢印は、液晶の移動方向を示す。また、図２４ａ及び図２４ｂに示される実線矢印は、ピストンの上下運動及び回転運動方向を示す。
【０６３９】
図２５は、マザー基板上に定義された単位パネル領域に液晶滴を吐出させるために、ヘッドユニットが過ぎる経路を示す図である。
【０６４０】
図３、図２４ａ、図２４ｂ及び図２５を参照して、単位パネル領域（１）、単位パネル領域（２）に液晶滴を吐出させる方法を説明する。
【０６４１】
ヘッドユニット２０は、単位パネル領域（１）、単位パネル領域（２）に液晶滴を部分吐出方式により吐出させる。
【０６４２】
単位パネル領域（１）の基準重さを、４ｍｇに設定する。
【０６４３】
単位パネル領域（２）の基準重さを、４ｍｇに設定する。
【０６４４】
第１の実施形態により距離を確定しようとする空間Ｓ１、Ｓ２、Ｓ３、Ｓ４内でピストンが下降すべき距離Ｌ１、Ｌ２、Ｌ３、Ｌ４が確定されると、ピストン２２を距離が確定された空間Ｓ１、Ｓ２、Ｓ３、Ｓ４の開始点Ｐ１１、Ｐ２１、Ｐ３１、Ｐ４１のうち最も下にある開始点Ｐ１１まで下降させ、距離が確定された空間Ｓ１、Ｓ２、Ｓ３、Ｓ４の内部に残っている液晶を吐出させる。
【０６４５】
ここで、開始点Ｐ１１は、基準点Ｐ０と同様である。
【０６４６】
ピストン２２をＺ軸を中心として反時計回りに回転させ、溝２２ａが液晶流入口２１ａに向かうようにする。この場合、液晶流出口２１ｂが閉じ、液晶流入口２１ａが開く。
【０６４７】
ピストン２２をＺ軸に沿って基準点Ｐ０からＬ１＋Ｌ２＋Ｌ３＋Ｌ４だけ上昇させて液晶を吸入させる。この場合、液晶が距離が確定された空間Ｓ１、Ｓ２、Ｓ３、Ｓ４に満たされる。
【０６４８】
前記距離が確定された空間Ｓ１、Ｓ２、Ｓ３、Ｓ４は、各々異なる距離Ｌ１、Ｌ２、Ｌ３、Ｌ４を持つ。
【０６４９】
しかしながら、距離が確定された空間Ｓ１、Ｓ２、Ｓ３、Ｓ４の各々に満たされる液晶の重さは、１ｍｇと同一である。ピストン２２は、初期にＺ０に位置する。
【０６５０】
ピストン２２をＺ軸を中心として時計方向に回転させ、溝２２ａが液晶流出口２１ｂに向かうようにする。この場合、液晶流入口２１ａが閉じ、液晶流出口２１ｂが開く。
【０６５１】
ヘッドユニット２０は、単位パネル領域（１）の上側の液晶滴Ｄ１が吐出されるべき位置で、ピストン２２は、Ｚ軸に沿って一定距離Ｌ４だけ、Ｚ０からＺ１に下降する。この場合、第４の空間Ｓ４に満たされた液晶が、ノズルを介して１ｍｇの液晶滴として吐出される。
【０６５２】
ヘッドユニット２０は、単位パネル領域（２）の上側の液晶滴Ｄ２が吐出されるべき位置で、ピストン２２は、Ｚ軸に沿って一定距離Ｌ３だけ、Ｚ１からＺ２に下降する。この場合、第３の空間Ｓ３に満たされた液晶が、ノズルを介して１ｍｇの液晶滴として吐出される。
【０６５３】
ヘッドユニット２０は、単位パネル領域（２）の上側の液晶滴Ｄ３が吐出されるべき位置で、ピストン２２は、Ｚ軸に沿って一定距離Ｌ２だけ、Ｚ２からＺ３に下降する。この場合、第２の空間Ｓ２に満たされた液晶が、ノズルを介して１ｍｇの液晶滴として吐出される。
【０６５４】
単位パネル領域（２）の上側の液晶滴Ｄ４が吐出されるべき位置で、ピストン２２は、Ｚ軸に沿って一定距離Ｌ１だけ、Ｚ３からＺ４に下降する。この場合、第１の空間Ｓ１に満たされた液晶が、ノズルを介して１ｍｇの液晶滴として吐出される。
【０６５５】
距離が確定された空間Ｓ１、Ｓ２、Ｓ３、Ｓ４に満たされた液晶が全部液晶滴として吐出されたので、更に距離が確定された空間Ｓ１、Ｓ２、Ｓ３、Ｓ４に液晶を満たす。
【０６５６】
ピストン２２をＺ軸を中心として反時計回りに回転させ、溝２２ａが液晶流入口２１ａに向かうようにする。この場合、液晶流出口２１ｂが閉じ、液晶流入口２１ａが開く。
【０６５７】
ピストン２２をＺ軸に沿って基準点Ｐ０からＬ１＋Ｌ２＋Ｌ３＋Ｌ４だけ上昇させて液晶を吸入させる。この場合、液晶が距離が確定された空間Ｓ１、Ｓ２、Ｓ３、Ｓ４に満たされる。ピストン２２は、初期にＺ０に位置する。
【０６５８】
ピストン２２をＺ軸を中心として時計方向に回転させ、溝２２ａが液晶流出口２１ｂに向かうようにする。この場合、液晶流入口２１ａが閉じ、液晶流出口２１ｂが開く。
【０６５９】
単位パネル領域（１）の上側の液晶滴Ｄ５が吐出されるべき位置で、ピストン２２は、Ｚ軸に沿って一定距離Ｌ４だけ、Ｚ０からＺ１に下降する。この場合、第４の空間Ｓ４に満たされた液晶が、ノズルを介して１ｍｇの液晶滴として吐出される。
【０６６０】
単位パネル領域（１）の上側の液晶滴Ｄ６が吐出されるべき位置で、ピストン２２は、Ｚ軸に沿って一定距離Ｌ３だけ、Ｚ１からＺ２に下降する。この場合、第３の空間Ｓ３に満たされた液晶が、ノズルを介して１ｍｇの液晶滴として吐出される。
【０６６１】
単位パネル領域（１）の上側の液晶滴Ｄ７が吐出されるべき位置で、ピストン２２は、Ｚ軸に沿って一定距離Ｌ２だけ、Ｚ２からＺ３に下降する。この場合、第２の空間Ｓ２に満たされた液晶が、ノズルを介して１ｍｇの液晶滴として吐出される。
【０６６２】
単位パネル領域（２）の上側の液晶滴Ｄ８が吐出されるべき位置で、ピストン２２は、Ｚ軸に沿って一定距離Ｌ１だけ、Ｚ３からＺ４に下降する。この場合、第１の空間Ｓ１に満たされた液晶が、ノズルを介して１ｍｇの液晶滴として吐出される。
【０６６３】
このような方式により、単位パネル領域（１）と単位パネル領域（２）の設定された位置の各々に液晶滴が吐出される。
【０６６４】
吐出された液晶滴Ｄ１、Ｄ２、Ｄ３、Ｄ４、Ｄ５、Ｄ６、Ｄ７、Ｄ８の各々の重さは、１ｍｇと互いに同一である。
【０６６５】
したがって、単位パネル領域（１）に吐出された液晶滴Ｄ１、Ｄ５、Ｄ６、Ｄ７の重さは、４ｍｇになる。したがって、吐出された液晶滴Ｄ１、Ｄ５、Ｄ６、Ｄ７の重さと単位パネル領域（１）の基準重さ４ｍｇとは、一致する。
【０６６６】
また、単位パネル領域（２）に吐出された液晶滴Ｄ２、Ｄ３、Ｄ４、Ｄ８の重さは、４ｍｇになる。したがって、吐出された液晶滴Ｄ２、Ｄ３、Ｄ４、Ｄ８の重さと単位パネル領域（２）の基準重さ４ｍｇとは、一致する。
【０６６７】
一方、第１の実施形態により液晶滴の重さが設定された後、その設定された重さを持った液晶滴を部分吐出方式でなく、全体吐出方式により単位パネル領域に吐出させる方法は、ヘッドユニットが、単位パネル領域（１）に設定された数の液晶滴を全部吐出した後、初めて単位パネル領域（２）に設定された数の液晶滴を吐出させるという点のみが異なるだけであり、残りは、同様であるので、その説明を省略する。
【０６６８】
一方、第２、３、４実施形態により液晶滴の重さが設定された後、その設定された重さを持った液晶滴を部分吐出方式又は全体吐出方式により単位パネル領域に吐出させる方法は、第１の実施形態と液晶滴の重さの設定方法のみが異なるだけであり、残りは、同様であるので、その説明を省略する。
【０６６９】
本発明は、シリンダー及びピストンを製作する際に発生する誤差と、シリンダーとピストンを設置する際に発生する誤差、などがあり、シリンダーの内部壁とピストンの下部面とが一定でなくても、単位パネル領域に吐出される液晶滴の各々の重さを液晶滴の各々の基準重さとして設定できる。また、全体吐出方式又は部分吐出方式により基準重さを持った液晶滴を単位パネル領域に吐出させることができる。
【符号の説明】
【０６７０】
１１  液晶ディスペンサーフレーム
１２  固定テーブル
１３  ステージ
１４  第１の駆動ユニット
１５  ヘッド支持台
１７  第２の駆動ユニット
２０  ヘッドユニット
２１  シリンダー
２２  ピストン
２１ａ  液晶流入口
２１ｂ  液晶流出口
３０  電子秤
【図１】
2010211170.tif 000003
【図２】
2010211170.tif 000004
【図３】
2010211170.tif 000005
【図４】
2010211170.tif 000006
【図５】
2010211170.tif 000007
【図６】
2010211170.tif 000008
【図７】
2010211170.tif 000009
【図８】
2010211170.tif 000010
【図９】
2010211170.tif 000011
【図１０】
2010211170.tif 000012
【図１１】
2010211170.tif 000013
【図１２】
2010211170.tif 000014
【図１３】
2010211170.tif 000015
【図１４】
2010211170.tif 000016
【図１５】
2010211170.tif 000017
【図１６】
2010211170.tif 000018
【図１７】
2010211170.tif 000019
【図１８】
2010211170.tif 000020
【図１９】
2010211170.tif 000021
【図２０】
2010211170.tif 000022
【図２１】
2010211170.tif 000023
【図２２】
2010211170.tif 000024
【図２３】
2010211170.tif 000025
【図２４】
2010211170.tif 000026
【図２５】
2010211170.tif 000027